(57)【要約】      （修正有）【課題】ＬＴＥ（Ｌｏｎｇ Ｔｅｒｍ Ｅｖｏｌｕｔｉｏｎ）におけるＰＤＣＣＨ（物理ダウンリンク制御チャネル）ペイロードサイズのあいまいさを解決する方法を提供する。【解決手段】ワイヤレス通信方法において、ＵＥ（ユーザ機器）は、複数のサービングセルのうちのあるサービングセル用のＣＩＦ（キャリアインジケータフィールド）を受信するための構成を受信、複数のサービングセルのうちの、上記のサービングセルとは異なる一次セル上でＰＤＣＣＨを監視し、ＰＤＣＣＨ内で受信された情報が、共通のペイロードサイズを有し、かつ、共通の探索空間の第１のＣＣＥ（制御チャネル要素）インデックスがＵＥ固有の探索空間の第１のＣＣＥインデックスと等しい共通の探索空間内に存在するとき、その受信された情報は上記の一次セル用の情報であると仮定する。【選択図】図１６
2020205606.tif 000002
【特許請求の範囲】
【請求項１】
ワイヤレス通信の方法であって、
複数のコンポーネントキャリアを用いてユーザ機器（ＵＥ）を設定することと、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定することと、
前記判別できないことが決定されたときはいつでも前記グラントによって前記コンポーネントキャリアのみをスケジューリングすることと
を備える方法。
【請求項２】
前記コンポーネントキャリア上で物理ダウンリンク制御チャネル（ＰＤＣＣＨ）内の前記グラントを送信することをさらに備える、請求項１に記載の方法。
【請求項３】
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、請求項１に記載の方法。
【請求項４】
前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみがスケジューリングされる、請求項１に記載の方法。
【請求項５】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、請求項１に記載の方法。
【請求項６】
前記グラントが共通の探索空間とＵＥ固有の探索空間の重なり合った探索空間内に配置され、前記グラントを受信する前記ＵＥが、前記グラントのペイロードサイズに基づいて前記ＣＩＦが前記グラントに含まれているかどうかを判別することができないときに、前記コンポーネントキャリアのみがスケジューリングされ、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う、請求項１に記載の方法。
【請求項７】
ユーザ機器（ＵＥ）を動作させる方法であって、
複数のコンポーネントキャリアのうちのあるコンポーネントキャリア上でグラントを受信することと、
前記グラント上でｅＮｏｄｅＢと通信することとを備え、
前記グラントは、前記ＵＥがグラントにキャリアインジケータフィールド（ＣＩＦ）が含まれているかどうかを判別できないときに前記コンポーネントキャリアのみをスケジューリングする方法。
【請求項８】
前記グラントは、物理ダウンリンク制御チャネル（ＰＤＣＣＨ）内で受信される、請求項７に記載の方法。
【請求項９】
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、請求項７に記載の方法。
【請求項１０】
前記グラントは、前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみをスケジューリングする、請求項７に記載の方法。
【請求項１１】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、請求項７に記載の方法。
【請求項１２】
前記グラントが共通の探索空間とＵＥ固有の探索空間の重なり合った探索空間内で受信され、前記グラントを受信する前記ＵＥが、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う、請求項７に記載の方法。
【請求項１３】
ワイヤレス通信のための装置であって、
複数のコンポーネントキャリアを用いてユーザ機器（ＵＥ）を設定するための手段と、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定するための手段と、
前記判別できないことが決定されたときはいつでも、前記グラントによって前記コンポーネントキャリアのみをスケジューリングする手段と
を備える装置。
【請求項１４】
前記コンポーネントキャリア上で物理ダウンリンク制御チャネル（ＰＤＣＣＨ）内のグラントを送信するための手段をさらに備える、請求項１３に記載の装置。
【請求項１５】
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、請求項１３に記載の装置。
【請求項１６】
前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみがスケジューリングされる、請求項１３に記載の装置。
【請求項１７】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、請求項１３に記載の装置。
【請求項１８】
前記グラントが共通の探索空間とＵＥ固有の探索空間の重なり合った探索空間内に配置され、前記グラントを受信する前記ＵＥが、前記グラントのペイロードサイズに基づいて前記ＣＩＦが前記グラントに含まれているかどうかを判別することができないときに、前記コンポーネントキャリアのみがスケジューリングされ、前記共通の探索空間の第１の制御チャネル要素（ＣＣＥ）インデックスと前記ＵＥ固有の探索空間の第１のＣＣEインデックスが等しいときに前記共通の探索空間が前記ＵＥ固有の探索空間と重なり合う、請求項１３に記載の装置。
【請求項１９】
ワイヤレス通信のための装置であって、
複数のコンポーネントキャリアのうちのあるコンポーネントキャリア上でグラントを受信するための手段と、
前記グラントに基づいてｅＮｏｄｅＢと通信するための手段とを備え、
前記グラントは、前記装置がグラントにキャリアインジケータフィールド（ＣＩＦ）が含まれているかどうかを判別できないときに前記コンポーネントキャリアのみをスケジューリングする装置。
【請求項２０】
前記グラントは、物理ダウンリンク制御チャネル（ＰＤＣＣＨ）内で受信される、請求項１９に記載の装置。
【請求項２１】
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、請求項１９に記載の装置。
【請求項２２】
前記グラントは、前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみをスケジューリングする、請求項１９に記載の装置。
【請求項２３】
前記グラントは、物理アップリンク共有チャネル（ＰＵＳＣＨ）内でトラフィックデータを送信するように前記装置をスケジューリングするアップリンク（ＵＬ）グラントまたは物理ダウンリンク共有チャネル（ＰＤＳＣＨ）内でトラフィックデータを受信するように前記装置をスケジューリングするダウンリンク（ＤＬ）グラントの１つである、請求項１９に記載の装置。
【請求項２４】
前記グラントが共通の探索空間とＵＥ固有の探索空間の重なり合った探索空間内で受信され、前記グラントを受信する前記装置が、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う、請求項１９に記載の装置。
【請求項２５】
コンピュータプログラム製品であって、
複数のコンポーネントキャリアを用いてユーザ機器（ＵＥ）を設定し、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定し、
前記判別できないことが決定されたときはいつでも前記グラントによって前記コンポーネントキャリアのみをスケジューリングする
ためのコードを備えるコンピュータ可読媒体を備えるコンピュータプログラム製品。
【請求項２６】
ユーザ機器（ＵＥ）内のコンピュータプログラム製品であって、
複数のコンポーネントキャリアのうちのあるコンポーネントキャリア上でグラントを受信し、
前記グラントに基づいてｅＮｏｄｅＢと通信するためのコードを備えるコンピュータ可読媒体を備え、
前記グラントは、前記ＵＥがグラントにキャリアインジケータフィールド（ＣＩＦ）が含まれているかどうかを判別できないときに前記コンポーネントキャリアのみをスケジューリングするコンピュータプログラム製品。
【請求項２７】
ワイヤレス通信のための装置であって、
複数のコンポーネントキャリアを用いてユーザ機器（ＵＥ）を設定し、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定し、
前記判別できないことが決定されたときはいつでも前記グラントによって前記コンポーネントキャリアのみをスケジューリングする
ように構成された処理システムを備える装置。
【請求項２８】
ワイヤレス通信のための装置であって、
複数のコンポーネントキャリアのうちのあるコンポーネントキャリア上でグラントを受信し、
前記グラントに基づいてｅＮｏｄｅＢと通信するように構成された処理システムを備え、
前記グラントは、前記装置がグラントにキャリアインジケータフィールド（ＣＩＦ）が含まれているかどうかを判別できないときに前記コンポーネントキャリアのみをスケジューリングする装置。
【発明の詳細な説明】
【関連出願の相互参照】
【０００１】
本出願は、どちらの出願も、その全体が参照により本明細書に明確に組み込まれる、「Ｍｅｔｈｏｄｓ ｏｆ Ｒｅｓｏｌｖｉｎｇ ＰＤＣＣＨ Ｃｏｎｆｕｓｉｏｎ ｉｎ ＬＥＴ−Ａ」という名称を有し、２０１０年３月１８日に出願された米国仮出願第６１／３１５３６７号の利益および「Ｍｅｔｈｏｄｓ ｏｆ Ｒｅｓｏｌｖｉｎｇ ＰＤＣＣＨ Ｃｏｎｆｕｓｉｏｎ ｉｎ ＬＴＥ−Ａ」という名称を有し、２０１０年９月２０日に出願された米国特許仮出願第６１／３８４６１３号の利益を主張する。
【技術分野】
【０００２】
本開示は概して、通信システムに関し、特にＬｏｎｇ Ｔｅｒｍ Ｅｖｏｌｕｔｉｏｎ（ＬＴＥ（登録商標））における物理ダウンリンク制御チャネル（ＰＤＣＣＨ）混乱を解決する方法に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これら多元接続技術は、様々なワイヤレスデバイスが都市、国家、地域、さらには地球規模で通信することを可能にする共通プロトコルを与えるために様々な電気通信規格において採用されている。新生の電気通信規格の一例はＬｏｎｇ Ｔｅｒｍ Ｅｖｏｌｕｔｉｏｎ（ＬＴＥ）である。ＬＴＥは、Ｔｈｉｒｄ Ｇｅｎｅｒａｔｉｏｎ Ｐａｒｔｎｅｒｓｈｉｐ Ｐｒｏｊｅｃｔ（３ＧＰＰ（登録商標））によって公表されたＵｎｉｖｅｒｓａｌ Ｍｏｂｉｌｅ Ｔｅｌｅｃｏｍｍｕｎｉｃａｔｉｏｎｓ Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【概要】
【０００５】
本開示の一態様では、基地局が複数のコンポーネントキャリアを用いてユーザ機器を設定する、基地局におけるワイヤレス通信のための方法、装置、およびコンピュータプログラム製品が提供される。また、基地局は、ユーザ機器が、複数のコンポーネントキャリアのうちのあるコンポーネントキャリア上で送信されるグラントにキャリアインジケータフィールドが含まれているかどうかを判別できないときを決定する。このグラントによって、判別できないことが決定されたときはいつでもこのコンポーネントキャリアのみがスケジューリングされる。
【０００６】
本開示の一態様では、複数のコンポーネントキャリアのうちのあるコンポーネントキャリア上でグラントが受信される、ワイヤレス通信のための方法、装置、およびコンピュータプログラム製品が提供される。また、この装置は、グラントに基づいてｅＮｏｄｅＢと通信する。グラントは、装置がグラントにキャリアインジケータフィールドが含まれているかどうかを判別できないときにこのコンポーネントキャリアのみをスケジューリングする。
【０００７】
本開示の一態様では、基地局が複数のコンポーネントキャリアを用いてユーザ機器を設定する、基地局におけるワイヤレス通信のための方法、装置、およびコンピュータプログラム製品が提供される。また、基地局は、ＵＥがグラントにキャリアインジケータフィールドが含まれているかどうかを判別できないときを決定する。さらに、グラントは、ユーザ機器がグラントにキャリアインジケータフィールドが含まれているかどうかを判別できないときにグラントにキャリアインジケータフィールドが含まれているかどうかをユーザ機器に示すように修正される。
【０００８】
本開示の一態様では、グラントがキャリアインジケータフィールドを含むかどうかをＵＥが判別できないときにキャリアインジケータフィールドが含まれるかどうかを示すためにグラントが修正される、複数のコンポーネントキャリアの１つ用のグラントを含むダウンリンク制御情報が受信される、ワイヤレス通信のための方法、装置、およびコンピュータプログラム製品が提供される。また、キャリアインジケータフィールドがグラントに含まれているかどうかは、グラントに対する修正に基づいて決定される。
【０００９】
本開示の一態様では、複数のサービングセルのうちのあるサービングセル用のキャリアインジケータフィールドを受信するための構成が受信される、ワイヤレス通信のための方法、装置、およびコンピュータプログラム製品が提供される。また、複数のサービングセルのうちの一次セル上で物理ダウンリンク制御チャネルが監視される。この一次セルは上記のサービングセルとは異なる。さらに、物理ダウンリンク制御チャネル内で受信された情報が、共通のペイロードサイズを有し、かつ、共通の探索空間内の第１の制御チャネル要素インデックスがユーザ機器固有の探索空間内の第１のＣＣＥインデックスと等しい共通の探索空間に存在するとき、受信された情報は一次セル用の情報であると仮定される。
【図面の簡単な説明】
【００１０】
【図１】図１は、処理システムを採用する装置のためのハードウェア実装形態の一例を示す図である。
【図２】図２は、ネットワークアーキテクチャの一例を示す図である。
【図３】図３は、アクセスネットワークの一例を示す図である。
【図４】図４は、アクセスネットワーク内で使用するフレーム構造の一例を示す図である。
【図５】図５は、ＬＴＥにおけるＵＬのための例示的なフォーマットを示す。
【図６】図６は、ユーザプレーンおよび制御プレーンのための無線プロトコルアーキテクチャの一例を示す図である。
【図７】図７は、アクセスネットワーク内の発展型ノードＢおよびユーザ機器の一例を示す図である。
【図８】図８は、クロスキャリアスケジューリングを示す図である。
【図９】図９は、クロスキャリアスケジューリングがあるときの潜在的なＰＤＣＣＨ混乱を示すための第１の図である。
【図１０】図１０は、クロスキャリアスケジューリングがあるときの潜在的なＰＤＣＣＨ混乱を示すための第２の図である。
【図１１】図１１は、潜在的なＰＤＣＣＨあいまいさを解決するための第１の例示的な方法を示すための図である。
【図１２】図１２は、潜在的なＰＤＣＣＨあいまいさを解決するための第２の例示的な方法を示すための図である。
【図１３】図１３は、潜在的なＰＤＣＣＨあいまいさを解決するための第３の例示的な方法を示すための図である。
【図１４】図１４は、潜在的なＰＤＣＣＨあいまいさを解決するための第４の例示的な方法を示すための図である。
【図１５】図１５は、潜在的なＰＤＣＣＨあいまいさを解決するための第５の例示的な方法を示すための図である。
【図１６】図１６は、ワイヤレス通信の第１の方法のフローチャートである。
【図１７】図１７は、ワイヤレス通信の第２の方法のフローチャートである。
【図１８】図１８は、ワイヤレス通信の第３の方法のフローチャートである。
【図１９】図１９は、ワイヤレス通信の第３の方法の第２のフローチャートである。
【図２０】図２０は、ワイヤレス通信の第４の方法のフローチャートである。
【図２１】図２１は、ワイヤレス通信の第４の方法の第２のフローチャートである。
【図２２】図２２は、ワイヤレス通信の第４の方法の第３のフローチャートである。
【図２３】図２３は、ワイヤレス通信の第４の方法の第４のフローチャートである。
【図２４】図２４は、ワイヤレス通信の別の方法のフローチャートである。
【図２５】図２５は、例示的な装置の機能を示す概念ブロック図である。
【図２６】図２６は、別の例示的な装置の機能を示す概念ブロック図である。
【図２７】図２７は、さらに別の例示的な装置の機能を示す概念ブロック図である。
【図２８】図２８は、さらに別の例示的な装置の機能を示す概念ブロック図である。
【図２９】図２９は、さらに別の例示的な装置の機能を示す概念ブロック図である。
【発明を実施するための形態】
【００１１】
添付の図面に関して以下に説明される発明を実施するための形態は、様々な構成として意図されるものであり、本明細書で記述される概念が実施され得る唯一の構成を表すことを意図するものではない。発明を実施するための形態は、様々な概念の完全な理解を与えるための具体的な詳細を含む。しかしながら、これらの概念がこれらの具体的な詳細なしに実施され得ることは当業者には明らかであろう。いくつかの例では、そのような概念を不明瞭にしないために、よく知られている構造および構成要素をブロック図の形式で示す。
【００１２】
次に、様々な装置および方法に関して電気通信システムのいくつかの態様を提示する。これらの装置および方法について、以下の発明を実施するための形態において説明し、（集合的に「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課せられた設計制約に依存する。
【００１３】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体上に常駐し得る。コンピュータ可読媒体は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体は、処理システムの内部に常駐するか、処理システムの外部にあるか、または処理システムを含む複数のエンティティにわたって分散され得る。コンピュータ可読媒体はコンピュータプログラム製品において実施され得る。例として、コンピュータプログラム製品はパッケージング材料中にコンピュータ可読媒体を含み得る。当業者なら、特定の適用例および全体的なシステムに課せられた全体的な設計制約に応じて、本開示全体にわたって提示される記述された機能をどのようにしたら最も良く実装することができるかを認識されよう。
【００１４】
したがって、１つまたは複数の例示的な実施形態では、記述される機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１５】
図１は、処理システム１１４を採用する装置１００のためのハードウェア実装形態の一例を示す概念図である。この例では、処理システム１１４は、バス１０２によって概略的に表されるバスアーキテクチャを用いて実装され得る。バス１０２は、処理システム１１４の特定の適用例および全体的な設計制約に応じて、任意の数の相互接続バスおよびブリッジを含み得る。バス１０２は、プロセッサ１０４によって概略的に表される１つまたは複数のプロセッサと、コンピュータ可読媒体１０６によって概略的に表されるコンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上記述しない。バスインターフェース１０８は、バス１０２とトランシーバ１１０との間のインターフェースを与える。トランシーバ１１０は、伝送媒体上で様々な他の装置と通信するための手段を与える。装置の性質に応じて、ユーザインターフェース１１２（たとえば、キーパッド、ディスプレイ、スピーカ、マイクロホン、ジョイスティック）も与えられ得る。
【００１６】
プロセッサ１０４は、コンピュータ可読媒体１０６に記憶されたソフトウェアの実行を含む一般的な処理及びバス１０２の管理に関与する。ソフトウェアは、プロセッサ１０４によって実行されたとき、処理システム１１４に、特定の装置のための以下で記述される様々な機能を実行させる。コンピュータ可読媒体１０６はまた、ソフトウェアを実行するときにプロセッサ１０４によって操作されるデータを記憶するために使用され得る。
【００１７】
図２は、様々な装置１００（図１参照）を採用するＬＴＥネットワークアーキテクチャ２００を示す図である。ＬＴＥネットワークアーキテクチャ２００はＥｖｏｌｖｅｄ Ｐａｃｋｅｔ Ｓｙｓｔｅｍ（ＥＰＳ）２００と呼ばれることがある。ＥＰＳ２００は、１つまたは複数のユーザ機器（ＵＥ）２０２と、発展型ＵＭＴＳ地上波無線アクセスネットワーク（Ｅ−ＵＴＲＡＮ：Evolved UMTS Terrestrial Radio Access Network）２０４と、発展型パケットコア（ＥＰＣ：Evolved Packet Core）２１０と、ホーム加入者サーバ（ＨＳＳ：Home Subscriber Server）２２０と、事業者のＩＰサービス２２２とを含み得る。ＥＰＳは他のアクセスネットワークと相互接続することができるが、簡単のために、それらのエンティティ／インターフェースは図示していない。図示のように、ＥＰＳはパケット交換サービスを与えるが、当業者なら容易に認識するように、本開示全体にわたって提示する様々な概念は、回線交換サービスを与えるネットワークに拡張され得る。
【００１８】
Ｅ−ＵＴＲＡＮは、発展型ノードＢ（ｅＮＢ）２０６と他のｅＮＢ２０８とを含む。ｅＮＢ２０６は、ＵＥ２０２に対してユーザプレーンプロトコル終端と制御プレーンプロトコル終端とを与える。ｅＮＢ２０６は、Ｘ２インターフェース（すなわち、バックホール）を介して他のｅＮＢ２０８に接続され得る。ｅＮＢ２０６はまた、当業者によって、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ２０６は、ＵＥ２０２にＥＰＣ２１０へのアクセスポイントを与える。ＵＥ２０２の例には、セルラー電話、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ２０２はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。
【００１９】
ｅＮＢ２０６はＳ１インターフェースによってＥＰＣ２１０に接続される。ＥＰＣ２１０は、モビリティ管理エンティティ（ＭＭＥ：Mobility Management Entity）２１２と、他のＭＭＥ２１４と、サービングゲートウェイ２１６と、パケットデータネットワーク（ＰＤＮ：Packet Data Network）ゲートウェイ２１８とを含む。ＭＭＥ２１２は、ＵＥ２０２とＥＰＣ２１０との間のシグナリングを処理する制御ノードである。概して、ＭＭＥ２１２はベアラおよび接続管理を行う。すべてのユーザＩＰパケットはサービングゲートウェイ２１６を通して転送され、サービングゲートウェイ２１６自体はＰＤＮゲートウェイ２１８に接続される。ＰＤＮゲートウェイ２１８はＵＥのＩＰアドレス割振りならびに他の機能を与える。ＰＤＮゲートウェイ２１８は事業者のＩＰサービス２２２に接続される。事業者のＩＰサービス２２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含む。
【００２０】
図３は、ＬＴＥネットワークアーキテクチャにおけるアクセスネットワークの一例を示す図である。この例では、アクセスネットワーク３００は、いくつかのセルラー領域（セル）３０２に分割される。１つまたは複数のより低い電力クラスのｅＮＢ３０８、３１２は、それぞれ、セル３０２のうちの１つまたは複数と重複するセルラー領域３１０、３１４を有し得る。より低い電力クラスのｅＮＢ３０８、３１２は、フェムトセル（たとえば、ホームｅＮＢ（ＨｅＮＢ））、ピコセル、またはマイクロセルであり得る。より高い電力クラスのｅＮＢまたはマクロｅＮＢ３０４は、セル３０２に割り当てられ、セル３０２内のすべてのＵＥ３０６にＥＰＣ２１０へのアクセスポイントを与えるように構成される。アクセスネットワーク３００のこの例には集中コントローラはないが、代替構成では集中コントローラが使用され得る。ｅＮＢ３０４は、無線ベアラ制御、承認制御、モビリティ制御、スケジューリング、セキュリティ、およびサービングゲートウェイ２１６（図２参照）への接続性を含む、無線に関係するすべての機能に関与する。
【００２１】
アクセスネットワーク３００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の発明を実施するための形態から容易に認識するように、本明細書で提示する様々な概念は、ＬＴＥ適用例に好適である。しかしながら、これらの概念は、他の変調および多元接続技法を採用する他の電気通信規格に容易に拡張され得る。例として、これらの概念は、Ｅｖｏｌｕｔｉｏｎ−Ｄａｔａ Ｏｐｔｉｍｉｚｅｄ（ＥＶ−ＤＯ）またはＵｌｔｒａ Ｍｏｂｉｌｅ Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ Ｇｅｎｅｒａｔｉｏｎ Ｐａｒｔｎｅｒｓｈｉｐ Ｐｒｏｊｅｃｔ ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））、ならびにＴＤ−ＳＣＤＭＡ、ＴＤＭＡを採用するＧｌｏｂａｌ Ｓｙｓｔｅｍ ｆｏｒ Ｍｏｂｉｌｅ Ｃｏｍｍｕｎｉｃａｔｉｏｎｓ（ＧＳＭ）（登録商標）、Ｅｖｏｌｖｅｄ ＵＴＲＡ（Ｅ−ＵＴＲＡ）、Ｕｌｔｒａ Ｍｏｂｉｌｅ Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＯＦＤＭＡを採用するＦｌａｓｈ−ＯＦＤＭなど、ＣＤＭＡの他の変形態を採用するＵｎｉｖｅｒｓａｌ Ｔｅｒｒｅｓｔｒｉａｌ Ｒａｄｉｏ Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰという組織からの文書に記述されている。ＣＤＭＡ２０００およびＵＭＢは、３ＧＰＰ２という組織からの文書に記述されている。採用される実際のワイヤレス通信規格および多元接続技術は、特定の適用例およびシステムに課せられる全体的な設計制約に依存することになる。
【００２２】
ｅＮＢ３０４は、ＭＩＭＯ技術をサポートする複数のアンテナを有し得る。ＭＩＭＯ技術の使用は、空間多重化、ビームフォーミング、および送信ダイバーシティをサポートするためにｅＮＢ３０４が空間領域を活用することを可能にする。
【００２３】
空間多重化は、データの異なるストリームを同じ周波数上で同時に送信するために使用され得る。データスチームは、データレートを増加させるために単一のＵＥ３０６に送信されるか、または全体的なシステム容量を増加させるために複数のＵＥ３０６に送信され得る。これは、各データストリームを空間的にプリコードし（すなわち、振幅および位相のスケーリングを適用し）、次いでダウンリンク上で複数の送信アンテナを通して空間的にプリコードされた各ストリームを送信することによって達成される。空間的にプリコードされたデータストリームは、異なる空間シグナチャとともに（１つまたは複数の）ＵＥ３０６に到着し、これにより、（１つまたは複数の）ＵＥ３０６の各々がそのＵＥ３０６に宛てられた１つまたは複数のデータストリームを復元することが可能になる。アップリンク上で、各ＵＥ３０６は、空間的にプリコードされたデータストリームを送信し、これにより、ｅＮＢ３０４が空間的にプリコードされた各データストリームのソースを識別することが可能になる。
【００２４】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２５】
以下の発明を実施するための形態では、ダウンリンク上でＯＦＤＭをサポートするＭＩＭＯシステムを参照しながらアクセスネットワークの様々な態様が記述される。ＯＦＤＭは、ＯＦＤＭシンボル内のいくつかのサブキャリアを介してデータを変調するスペクトル拡散技法である。サブキャリアは正確な周波数で離間する。この離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＲＲ：peak-to-average power ratio）を補償するために、ＳＣ−ＦＤＭＡをＤＦＴ拡散ＯＦＤＭ信号の形態で使用し得る。
【００２６】
様々なフレーム構造は、ＤＬ送信とＵＬ送信とをサポートするために使用され得る。ＤＬフレーム構造の一例は、図４に関して提示されるであろう。しかしながら、当業者なら容易に認識するように、特定の適用例のためのフレーム構造は任意の数のファクタに応じて異なり得る。この例では、フレーム（１０ｍｓ）は、等しいサイズの１０個のサブフレームに分割されている。各サブフレームは、２つの連続するタイムスロットを含む。
【００２７】
２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル内の通常のサイクリックプレフィックスについて、時間領域中に７個の連続ＯＦＤＭシンボル、または８４個のリソース要素を含んでいる。Ｒ４０２、４０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）４０２と、ＵＥ固有ＲＳ（ＵＥ−ＲＳ：UE-specific RS）４０４とを含む。ＵＥ−ＲＳ４０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２８】
ＵＬフレーム構造５００の一例は、図５に関して提示されるであろう。図５は、ＬＴＥにおけるＵＬのための例示的なフォーマットを示す。ＵＬのために利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報の送信のためにＵＥに割り当てられ得る。データセクションは、制御セクション中に含まれないすべてのリソースブロックを含み得る。図５の設計は、データセクション内の連続するサブキャリアのすべてを単一のＵＥに割り当てることを可能にし得る連続サブキャリアを含むデータセクションを生じる。
【００２９】
ＵＥには、ｅＮＢに制御情報を送信するために制御セクション内のリソースブロック５１０ａ、５１０ｂが割り当てられ得る。ＵＥには、ｅＮＢにデータを送信するためにデータセクション内のリソースブロック５２０ａ、５２０ｂも割り当てられ得る。ＵＥは、制御セクション内の割り当てられたリソースブロック上の物理アップリンク制御チャネル（ＰＵＣＣＨ：physical uplink control channel）内で制御情報を送信し得る。ＵＥは、データセクション内の割り当てられたリソースブロック上の物理アップリンク共有チャネル（ＰＵＳＣＨ：physical uplink shared channel）内でデータのみまたはデータと制御情報の両方を送信し得る。ＵＬ送信は、サブフレームの両方のスロットにわたり得、図５に示すように周波数上でホッピングし得る。
【００３０】
図５に示すように、リソースブロックのセットは、初期システムアクセスを実行し、物理ランダムアクセスチャネル（ＰＲＡＣＨ：physical random access channel）５３０内でＵＬ同期を達成するために使用され得る。ＰＲＡＣＨ５３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）内で搬送され、ＵＥは、フレーム（１０ｍｓ）ごとに単一のＰＲＡＣＨ試みだけを行うことができる。
【００３１】
ＬＴＥにおけるＰＵＣＣＨ、ＰＵＳＣＨ、およびＰＲＡＣＨは、公開されている「Evolved Universal Terrestrial Radio Access(E-UTRA);Physical Channels and Modulation」と題する３ＧＰＰ ＴＳ ３６．２１１に記述されている。
【００３２】
無線プロトコルアーキテクチャは、特定の適用例に応じて様々な形態をとり得る。ＬＴＥシステムの一例は、図６に関して提示されるであろう。図６は、ユーザプレーンおよび制御プレーンのための無線プロトコルアーキテクチャの一例を示す概念図である。
【００３３】
図６を参照すると、ＵＥおよびｅＮＢのための無線プロトコルアーキテクチャは、レイヤ１と、レイヤ２と、レイヤ３との３つのレイヤとともに示されている。レイヤ１は最下位レイヤであり、様々な物理レイヤ信号処理機能を実装する。レイヤ１を本明細書では物理レイヤ６０６と呼ぶ。レイヤ２（Ｌ２レイヤ）６０８は、物理レイヤ６０６の上にあり、物理レイヤ６０６を介したＵＥとｅＮＢとの間のリンクに関与する。
【００３４】
ユーザプレーンでは、Ｌ２レイヤ６０８は、ネットワーク側のｅＮＢにおいて終了される、媒体アクセス制御（ＭＡＣ：media access control）サブレイヤ６１０と、無線リンク制御（ＲＬＣ：radio link control）サブレイヤ６１２と、パケットデータコンバージェンスプロトコル（ＰＤＣＰ：packet data convergence protocol）６１４サブレイヤとを含む。図示されていないが、ＵＥは、ネットワーク側のＰＤＮゲートウェイ２０８（図２参照）において終了されるネットワークレイヤ（たとえば、ＩＰレイヤ）と、接続の他端（たとえば、ファーエンドＵＥ、サーバなど）において終了されるアプリケーションレイヤとを含むＬ２レイヤ６０８の上にいくつかの上位レイヤを有し得る。
【００３５】
ＰＤＣＰサブレイヤ６１４は、様々な無線ベアラと論理チャネルとの間の多重化を提供する。ＰＤＣＰサブレイヤ６１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ６１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ６１０は、論理チャネルとトランスポートチャネルとの間の多重化を提供する。ＭＡＣサブレイヤ６１０はまた、ＵＥの間で１つのセル内の様々な無線リソース（たとえば、リソースブロック）を割り振ることに関与する。ＭＡＣサブレイヤ６１０はまたＨＡＲＱ動作に関与する。
【００３６】
制御プレーンでは、ＵＥおよびｅＮＢのための無線プロトコルアーキテクチャは、制御プレーンのためのヘッダ圧縮機能がないことを除いて、物理レイヤ６０６およびＬ２レイヤ６０８について実質的に同じである。制御プレーンはまた、レイヤ３中に無線リソース制御（ＲＲＣ：radio resource control）サブレイヤ６１６を含む。ＲＲＣサブレイヤ６１６は、無線リソース（すなわち、無線ベアラ）を取得することと、ｅＮＢとＵＥとの間のＲＲＣシグナリングを使用して下位レイヤを構成することとに関与する。
【００３７】
図７は、アクセスネットワーク内でＵＥ７５０と通信しているｅＮＢ７１０のブロック図である。ＤＬでは、コアネットワークからの上位レイヤパケットがコントローラ／プロセッサ７７５に与えられる。コントローラ／プロセッサ７７５は、図６に関して前に記述されたＬ２レイヤの機能を実装する。ＤＬでは、コントローラ／プロセッサ７７５は、様々な優先度メトリックに基づいてヘッダ圧縮と、暗号化と、パケットのセグメント化および並べ替えと、論理チャネルとトランスポートチャネルとの間の多重化と、ＵＥ７５０への無線リソース割振りとを提供する。コントローラ／プロセッサ７７５はまた、ＨＡＲＱ動作と、紛失パケットの再送信と、ＵＥ７５０へのシグナリングとに関与する。
【００３８】
ＴＸプロセッサ７１６は、Ｌ１レイヤ（すなわち、物理レイヤ）のための様々な信号処理機能を実装する。信号処理機能は、ＵＥ７５０における前方誤り訂正（ＦＥＣ：forward error correction）を促進するためのコーディングおよびインタリービングと、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングを含む。次いで、符号化され変調されたシンボルは並列ストリームに分割される。各ストリームは、次いでＯＦＤＭサブキャリアにマッピングされ、時間領域および／または周波数領域内で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器７７４からのチャネル推定値は、符号化および変調方式を決定するために、ならびに空間処理のために使用され得る。チャネル推定値は、ＵＥ７５０によって送信される基準信号および／またはチャネル状態フィードバックから導出され得る。次いで、各空間ストリームは、別個の送信機７１８ＴＸを介して異なるアンテナ７２０に与えられる。各送信機７１８ＴＸは、送信のためにそれぞれの空間ストリームでＲＦキャリアを変調する。
【００３９】
ＵＥ７５０において、各受信機７５４ＲＸは、そのそれぞれのアンテナ７５２を通して信号を受信する。各受信機７５４ＲＸは、ＲＦキャリア上に変調された情報を復元し、受信機（ＲＸ）プロセッサ７５６に情報を与える。
【００４０】
ＲＸプロセッサ７５６は、Ｌ１レイヤの様々な信号処理機能を実装する。ＲＸプロセッサ７５６は、ＵＥ７５０に宛てられた任意の空間ストリームを復元するために、情報に対して空間処理を実行する。複数の空間ストリームがＵＥ７５０に宛てられた場合、それらはＲＸプロセッサ７５６によって単一のＯＦＤＭシンボルストリームに合成され得る。ＲＸプロセッサ７５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ７１０によって送信される、可能性が最も高い信号のコンスタレーションポイントを決定することによって復元され、復調される。これらの軟判定は、チャネル推定器７５８によって計算されるチャネル推定値に基づき得る。軟判定は、次いで、物理チャネル上でｅＮＢ７１０によって最初に送信されたデータおよび制御信号を復元するために復号され、デインターリーブされる。データおよび制御信号は、次いでコントローラ／プロセッサ７５９に与えられる。
【００４１】
コントローラ／プロセッサ７５９は、図６に関して前に記述されたＬ２レイヤを実装する。ＵＬでは、コントロール／プロセッサ７５９は、コアネットワークからの上位レイヤパケットを復元するために、トランスポートチャネルと論理チャネルとの間での多重分離と、パケット再統合と、復号と、ヘッダの復元と、制御信号処理とを行う。上位レイヤパケットは、次いで、Ｌ２レイヤの上のすべてのプロトコルレイヤを表すデータシンク７６２に与えられる。また、様々な制御信号がＬ３処理のためにデータシンク７６２に与えられ得る。コントローラ／プロセッサ７５９はまた、ＨＡＲＱ動作をサポートするために肯定応答（ＡＣＫ）および／または否定応答（ＮＡＣＫ）プロトコルを使用した誤り検出に関与する。
【００４２】
ＵＬでは、データソース７６７は、コントローラ／プロセッサ７５９に上位レイヤパケットを与えるために使用される。データソース７６７は、Ｌ２レイヤ（Ｌ２）の上のすべてプロトコルレイヤを表す。ｅＮＢ７１０によるＤＬ送信に関して記述された機能と同様に、コントローラ／プロセッサ７５９は、ヘッダ圧縮と、暗号化と、パケットのセグメント化および並べ替えと、ｅＮＢ７１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ７５９はまた、ＨＡＲＱ動作、紛失パケットの再送信、およびｅＮＢ７１０へのシグナリングに関与する。
【００４３】
ｅＮＢ７１０によって送信される基準信号またはフィードバックからの、チャネル推定器７５８によって導出されるチャネル推定値は、適切な符号化および変調方式を選択することと、空間処理を可能にすることとを行うために、ＴＸプロセッサ７６８によって使用され得る。ＴＸプロセッサ７６８によって生成される空間ストリームは、別個の送信機７５４ＴＸを介して異なるアンテナ７５２に与えられる。各送信機７５４ＴＸは、送信のためにそれぞれの空間ストリームでＲＦキャリアを変調する。
【００４４】
ＵＬ送信は、ＵＥ７５０における受信機機能に関して記述された方法と同様の方法でｅＮＢ７１０において処理される。各受信機７１８ＲＸは、それのそれぞれのアンテナ７２０を通して信号を受信する。各受信機７１８ＲＸは、ＲＦキャリア上に変調された情報を復元し、ＲＸプロセッサ７７０に情報を与える。ＲＸプロセッサ７７０はＬ１レイヤを実装する。
【００４５】
コントローラ／プロセッサ７５９は、図６に関して前に記述されたＬ２レイヤを実装する。ＵＬでは、コントローラ／プロセッサ７５９は、ＵＥ７５０からの上位レイヤパケットを復元するために、トランスポートチャネルと論理チャネルとの間の多重分離と、パケット再統合と、復号と、ヘッダ復元と、制御信号処理とを行う。コントローラ／プロセッサ７７５からの上位レイヤパケットはコアネットワークに与えられ得る。コントローラ／プロセッサ７５９はまた、ＨＡＲＱ動作をサポートするためにＡＣＫおよび／またはＮＡＣＫプロトコルを使用した誤り検出に関与する。
【００４６】
一構成では、図１に関して記述された処理システム１１４はｅＮＢ７１０を含む。特に、処理システム１１４は、ＴＸプロセッサ７１６と、ＲＸプロセッサ７７０と、コントローラ／プロセッサ７７５とを含む。別の構成では、図１に関して記述された処理システム１１４はＵＥ７５０を含む。特に、処理システム１１４は、ＴＸプロセッサ７６８と、ＲＸプロセッサ７５６と、コントローラ／プロセッサ７５９とを含む。
【００４７】
図８は、クロスキャリアスケジューリングを示す図８００である。図８に示すように、ＵＥ８０４は、コンポーネントキャリアＣＣ１およびコンポーネントキャリアＣＣ２を含む複数のキャリア（すなわち、コンポーネントキャリア）上のｅＮｏｄｅＢ８０２と通信する。コンポーネントキャリアは、ｅＮｏｄｅＢ８０２のサービングセルとも呼ばれることもある。したがって、コンポーネントキャリアＣＣ１はサービングセルと呼ばれることがあり、コンポーネントキャリアＣＣ２はサービングセルと呼ばれることがある。ｅＮｏｄｅＢ８０２は、コンポーネントキャリアＣＣ１上でＰＤＣＣＨを送信するが、コンポーネントキャリアＣＣ２上ではＰＤＣＣＨを送信しない。したがって、コンポーネントキャリアＣＣ１上で伝送されるＰＤＣＣＨは、コンポーネントキャリアＣＣ１とコンポーネントキャリアＣＣ２の両方に関するスケジューリング情報を搬送する。コンポーネントキャリアＣＣ１は、それ自体をスケジューリングするので、一次キャリアまたはアンカーキャリアであり得る。一次キャリアまたは一次セルコンポーネントキャリアは、ｅＮｏｄｅＢ８０２の一次セルと呼ばれることもある。スケジューリング情報には、物理ダウンリンク共有チャネル（ＰＤＳＣＨ）上でＵＥ８０４によって受信すべきトラフィックデータのＤＬグラントと、物理アップリンク共有チャネル（ＰＵＳＣＨ）上でＵＥ８０４によって送信すべきトラフィックデータのＵＬグラントが含まれる。ＰＤＣＣＨ上で搬送される情報は、ダウンリンク制御情報（ＤＣＩ）と呼ばれる。ＰＤＣＣＨグラントがどちらのコンポーネントキャリアに適用されるかについてＵＥ８０４にわかるように、ＤＣＩは、キャリアインジケータフィールド（ＣＩＦ）を含み得る。ＣＩＦは現在３ビットであり、したがって、クロスキャリアスケジューリングは、５つのコンポーネントキャリアをサポートすることができ、理論的には最大で８つのコンポーネントキャリアと協働することができる。しかしながら、他の例では、ＣＩＦは、３ビットよりも多いかまたは少ないビットを有し得る。
【００４８】
ＤＣＩにＣＩＦを含めるように構成することができる。たとえば、コンポーネントキャリアＣＣ１のＤＣＩは、ＰＤＣＣＨが共通の探索空間にある場合、ＣＩＦを含まないように構成され得る。コンポーネントキャリアＣＣ１とコンポーネントキャリアＣＣ２の両方のＤＣＩは、ＰＤＣＣＨがＵＥ固有の探索空間にある場合、ＣＩＦを含むように構成され得る。各コンポーネントキャリア用のＣＩＦを含むためのＤＣＩの構成は、コンポーネントキャリア同士が同じＰＤＣＣＨフォーマットを使用するかそれとも異なるＰＤＣＣＨフォーマットを使用するかとは無関係である。ＣＩＦを含むＤＣＩとＣＩＦを含まないＤＣＩがあるので、ＵＥは、ＰＤＣＣＨペイロードサイズを調べて、ＤＣＩがＣＩＦを含むかどうかを決定する。ＰＤＣＣＨペイロードサイズは、送信モード、ｅＮｏｄｅＢ８０２における送信アンテナの数（ＤＬ−ＭＩＭＯ）および／またはＵＥにおける送信アンテナの数（ＵＬ−ＭＩＭＯ）、ＴＤＤシステムおよびＦＤＤシステム、ＤＣＩがＣＩＦを含むかどうか、帯域幅などの関数である。したがって、コンポーネントキャリアＣＣ１のＣＩＦを含まないＰＤＣＣＨペイロードサイズは、コンポーネントキャリアＣＣ２のＣＩＦを含む別のＰＤＣＣＨのペイロードサイズと同じであり得る。コンポーネントキャリアＣＣ１とコンポーネントキャリアＣＣ２の両方のＰＤＣＣＨがＣＣ１およびＣＣ２上で送信されるので、ＵＥ８０４は、ＰＤＣＣＨペイロードサイズのみに基づいてＰＤＣＣＨグラントがコンポーネントキャリアＣＣ１（ＣＩＦを含まない）用のグラントであるかそれともコンポーネントキャリアＣＣ２（ＣＩＦを含む）用のグラントであるかを判別できないことがある。
【００４９】
たとえば、ｅＮｏｄｅＢ８０２が４本の送信アンテナによってコンポーネントキャリアＣＣ１を送信し、ｅＮｏｄｅＢ８０２が２本の送信アンテナによってコンポーネントキャリアＣＣ２を送信し、ＵＥ８０４が、コンポーネントキャリアＣＣ１とコンポーネントキャリアＣＣ２両方の送信モード４向けに構成されている場合、ＣＩＦを含まないコンポーネントキャリアＣＣ１用のＰＤＣＣＨグラントは６２ビットであり、ＣＩＦを含まないコンポーネントキャリアＣＣ２用のＰＤＣＣＨグラントは５９ビットである。コンポーネントキャリアＣＣ２用のＰＤＣＣＨグラントがＣＩＦを含む場合、コンポーネントキャリアＣＣ２用のＰＤＣＣＨグラントも６２ビットであり、したがって、どちらも６２ビットに等しいため、ＵＥ８０４は、ＰＤＣＣＨペイロードサイズのみに基づいてＰＤＣＣＨグラントがどちらのコンポーネントキャリアに適用されるのかを区別することができない。
【００５０】
図９は、クロスキャリアスケジューリングがあるときの潜在的なＰＤＣＣＨ混乱を示すための第１の図９００である。上記で説明したように、ＣＩＦが含まれるコンポーネントキャリア用のＰＤＣＣＨグラントと含まれないコンポーネントキャリア用のＰＤＣＣＨグラントがある一方で、ＰＤＣＣＨペイロードサイズが同じであるときにあいまいさが生じる。このあいまいさは、ＰＤＣＣＨペイロードが重なり合った探索空間内に配置されるという事実による。探索空間９０２内で、ＤＣＩは、共通の探索空間９０４内またはＵＥ固有の探索空間９０６内に配置され得る。共通の探索空間９０４は、共通の探索空間９０４の第１の制御チャネル要素（ＣＣＥ）インデックスｎCCEがＵＥ固有の探索空間９０６の第１のＣＣＥインデックスｎCCEと等しいときにＵＥ固有の探索空間９０６と重なり合う。ＰＤＣＣＨは１つまたは複数のＣＣＥ内で送信される。各ＣＣＩは、リソース要素群（ＲＥＧ：Resource Element Group）として知られる４つの物理リソース要素の９つのセットに相当する。複数の記号が各ＲＥＧにマップされる。ＣＣＥインデックスは、制御チャネルデータが割り振られるＣＣＥ番号である。ＵＥがそのＰＤＣＣＨを見つけることができるＣＣＥロケーションのセットを探索空間とみなすことができる。探索空間サイズはＰＤＣＣＨフォーマットに基づいて異なる。ＵＥ固有の探索空間９０６は、各ＵＥ向けに個別に構成された専用探索空間であり、一方、共通の探索空間９０４はすべてのＵＥ向けに構成されている。
【００５１】
ＰＤＣＣＨはブロードキャストまたはユニキャストであり得る。ＰＤＣＣＨがブロードキャストである場合、ＰＤＣＣＨを共通の探索空間９０４内で送信しなければならない。ＰＤＣＣＨがユニキャストであるとき、ＰＤＣＣＨは、共通の探索空間９０４内またはＵＥ固有の探索空間９０６内で送信され得る。図９に示すように、探索空間９０４、９０６は場合によっては重なり合う。探索空間９０４、９０６が重なり合っていると（すなわち、共通の探索空間９０４内の第１のＣＣＥインデックスｎCCEとＵＥ固有の探索空間９０６内の第１のＣＣＥインデックスｎCCEとが同じであると）、ＰＤＣＣＨペイロードは重なり合った空間９０８内に存在し、ＣＩＦを含まないコンポーネントキャリアＣＣ１用のＰＤＣＣＨペイロードは、ＣＩＦを含むコンポーネントキャリアＣＣ２用のＰＤＣＣＨペイロードと同じサイズであり、ＵＥ８０４は、ＰＤＣＣＨがどちらのコンポーネントキャリアに適用されるかを決定できないことがある。
【００５２】
図１０は、クロスキャリアスケジューリングがあるときの潜在的なＰＤＣＣＨ混乱を示すための第２の図１０００である。図１０に示すように、コンポーネントキャリアＣＣ１用のＰＤＣＣＨは、共通の探索空間９０４内またはＵＥ固有の探索空間９０６内に存在し得る。コンポーネントキャリアＣＣ１用のＰＤＣＣＨが共通の探索空間９０４に存在するとき、ＰＤＣＣＨは、以前のＬＴＥ Ｒｅｌｅａｓｅとの後方互換性を維持するためにＣＩＦを含まない（１００２）。理論的には、共通の探索空間９０４内で送信されるＰＤＣＣＨは、ブロードキャスト用のＣＩＦではなくユニキャスト用のＣＩＦを含み得るが、共通の探索空間９０４のサイズが大きくなり、ブラインドデコードの数が増大する。したがって、共通の探索空間９０４内で送信されるＰＤＣＣＨは、ＣＩＦを含まない。
【００５３】
コンポーネントキャリアＣＣ１用のＰＤＣＣＨがＵＥ固有の探索空間９０６内に存在するとき、ＰＤＣＣＨはＣＩＦを含み得る（１００４）。コンポーネントキャリアＣＣ２用のＰＤＣＣＨは、共通の探索空間９０４内に存在せず（１００６）、ＵＥ固有の探索空間９０６のみに存在する（１００８）。ＵＥ８０４にはどちらのコンポーネントキャリアもＣＩＦを含むことがわかっており、したがって、ＵＥ８０４は、ＤＣＩにＣＩＦが含まれていると仮定し、ＣＩＦを調べて、どちらのコンポーネントキャリアがスケジューリングされているかを決定するので、ＵＥ８０４は、ＰＤＣＣＨスケジューリング可能性１００４、１００８に関してＰＤＣＣＨがどちらのコンポーネントキャリアに適用されるかを決定することができる。しかしながら、ＰＤＣＣＨスケジューリング可能性１００２、１００８に関して、ＵＥ８０４は、ＰＤＣＣＨペイロードサイズが同じであり、ＰＤＣＣＨペイロードが重なり合った探索空間９０８内に存在するときにＰＤＣＣＨがどちらのコンポーネントキャリアに適用されるかを決定できないことがある。
【００５４】
図１１は、潜在的なＰＤＣＣＨあいまいさを解決するための第１の例示的な方法を示すための図１１００である。一構成では、あいまいさは、コンポーネントキャリアＣＣ１のために共通の探索空間９０４内で送信されるＣＩＦを含まないＰＤＣＣＨにビットを付加し（１１０２）かつ／またはコンポーネントキャリアＣＣ２のためにＵＥ固有の探索空間９０６内で送信されるＣＩＦを含むＰＤＣＣＨにビットを付加する（１１０８）ことによって解決される。図１１に示すように、ＣＩＦを含まないＰＤＣＣＨにｘビットを付加し得、ＣＩＦを含むＰＤＣＣＨにｙビットを付加し得る。一例では、あいまいさが存在しないとき、ｘ＝０およびｙ＝０であり、あいまいさが存在するとき、ｘ＝０およびｙ＝１であり、したがって、ＵＥ８０４があいまいさを解決するのを可能にするように、ＣＩＦを含まないＰＤＣＣＨにはビットが付加されず（１１０２）、ＣＩＦを含むＰＤＣＣＨに１ビットが付加される（１１０８）。ＰＤＣＣＨにＵＥ固有の探索空間内のＣＩＦをパディングすると、ＵＥを以前のＬＴＥ Ｒｅｌｅａｓｅの下で動作させながら後方互換性を維持できるようになるので好ましい場合がある。
【００５５】
図１２は、潜在的なＰＤＣＣＨあいまいさを解決するための第２の例示的な方法を示すための図１２００である。図１２に示すように、ＰＤＣＣＨペイロード１２０２に基づいて、巡回冗長検査（ＣＲＣ）ジェネレータ１２０４がパリティビット（たとえば、１６ビット）のＣＲＣ１２０６を生成する。ＣＲＣ１２０６は、ＤＣＩメッセージのエラー検出に使用される。無線ネットワーク一時識別子（ＲＮＴＩ）１２１０に基づいてＣＲＣ１２０６にＣＲＣマスク１２０８が適用される。異なるＲＮＴＩを使用してＣＲＣをスクランブルすることができる。たとえば、ＵＥ−ＲＮＴＩまたはセルＲＮＴＩ（Ｃ−ＲＮＴＩ）のようなＵＥ固有の識別子を使用してＣＲＣ１２０６をスクランブルし得る。Ｃ−ＲＮＴＩは、ＵＥが特定のセル内に存在する間ＵＥによって使用される。第２の例示的な方法によれば、ＰＤＣＣＨあいまいさが存在するとき、ＣＲＣ１２０６は、ＰＤＣＣＨペイロード１２０２にＣＩＦが含まれているかどうかに基づいてさらにスクランブルされる。したがって、ＰＤＣＣＨを符号化する際に、ＲＮＴＩ１２１０の他に１つまたは複数のＣＩＦビット１２１４に基づく追加のＣＲＣマスクをＣＲＣ１２０６に適用し得る。あるいは、ＰＤＣＣＨあいまいさを解決するためにＲＮＴＩ１２１０と１つまたは複数のＣＩＦビット１２１４の両方に基づいて１つのＣＲＣマスクを適用し得る。１つまたは複数のＣＩＦビットは、ＰＤＣＣＨペイロード内のどのＣＩＦにも関連付けられていないビットの第１の所定のセットと、ＰＤＣＣＨペイロード内のＣＩＦに関連付けられているビットの第２の所定のセットとを含む。ＣＲＣは、ＣＩＦがＰＤＣＣＨペイロードに含まれているかどうかに基づいてビットの第１の所定のセットまたは第２の所定のセットによってスクランブルされる。スクランブルされたＣＲＣ１２１２は、ＰＤＣＣＨペイロードの最後に付加される。１つまたは複数のＣＩＦビットに基づく追加のＣＲＣマスクがある場合、ＵＥ８０４は、ＲＮＴＩおよびビットの第１の所定のセットに基づいて受信されたＣＲＣを逆スクランブルして非ＣＩＦＣＲＣを作成し、ＲＮＴＩおよびビットの第２の所定のセットに基づいて受信されたＣＲＣを逆スクランブルしてＣＩＦＣＲＣを作成し、受信されたＰＤＣＣＨペイロードに基づいてＣＲＣを生成し、生成されたＣＲＣが非ＣＩＦＣＲＣに一致するかそれともＣＩＦＣＲＣに一致するかを決定することによってＰＤＣＣＨペイロードがＣＩＦを含むかどうかを決定することができる。
【００５６】
図１３は、潜在的なＰＤＣＣＨあいまいさを解決するための第３の例示的な方法を示すための図１３００である。ＰＤＣＣＨペイロードを形成するために、ＤＣＩは、上記に図１２に関して記述されたＣＲＣアタッチメント、チャネルコーディング（すなわち、テールバイティング（tail biting）畳み込みコーディング）、およびレートマッチングの各ステップを含むコーディングを受ける。レートマッチングは、所望のコードレートを有する出力ストリームを作成する。畳み込みコーダからの３つのビットストリームは、仮想サーキュラーバッファを作成するようにインタリーブされ、次いで連結される。第３の例示的な方法によれば、ＰＤＣＣＨあいまいさが存在するとき、ＰＤＣＣＨに対するリソースマッピングを適用する際の仮想サーキュラーバッファ内の開始点が、ＣＩＦを含むＰＤＣＣＨとＣＩＦを含まないＰＤＣＣＨとで異なるようにレートマッチングにＣＩＦ固有のシフトが適用される。たとえば、ｅＮｏｄｅＢ８０２は、ＣＩＦを含まないＰＤＣＣＨに開始点ｗ0を使用し、ＣＩＦを含むＰＤＣＣＨに開始点ｗn（ｎ＞０）を使用し得る。コンポーネントキャリアＣＣ１、ＣＣ２にそれぞれの異なる所定の開始点を用いると、ＵＥ８０４は、ＵＥ８０４が誤った開始点を仮定または利用した場合、ＵＥ８０４が受信されたＰＤＣＣＨを適切に復号できなくなるので、ＰＤＣＣＨがどちらのコンポーネントキャリアに適用されるかを決定することができる。
【００５７】
図１４は、潜在的なＰＤＣＣＨあいまいさを解決するための第４の例示的な方法を示すための図１４００である。図１４に示すように、第４の例示的な方法では、ＣＩＦは常にＰＤＣＣＨに含まれる。常にＣＩＦを含むことは、ＵＥ８０４にはＣＩＦがＤＣＩに含まれていることが常にわかり、ＣＩＦを調べてＤＣＩのグラントによってどちらのコンポーネントキャリアがスケジューリングされるかを決定することができるため、あいまいさを取り除くであろう。ＰＤＣＣＨあいまいさを有することがないＤＣＩフォーマットがある場合、ＣＩＦは常に、ＰＤＣＣＨあいまいさを有するＤＣＩフォーマットにのみ含まれ得る。
【００５８】
図１５は、潜在的なＰＤＣＣＨあいまいさを解決するための第５の例示的な方法を示すための図１５００である。第５の例示的な方法によれば、ＰＤＣＣＨあいまいさが存在するとき、ＵＥ８０４は、ＰＤＣＣＨはＣＩＦを含まないと仮定する。ＣＩＦを含まないＰＤＣＣＨは、同じコンポーネントキャリア（たとえば、一次／アンカーキャリア、一次セル）をスケジューリングする。したがって、ｅＮｏｄｅＢ８０２は、あいまいさが存在する可能性があるときは常に一次キャリア用のＰＤＳＣＨ／ＰＵＳＣＨをスケジューリングすべきである。２つのコンポーネントキャリア間で重なり合った探索空間が存在しないとき、ＰＤＣＣＨあいまいさは存在しないと考えられる。しかしながら、探索空間が重なり合っているときは、他のコンポーネントキャリアのスケジューリングが制限される。したがって、ＰＤＣＣＨあいまいさが存在し（すなわち、ＰＤＣＣＨペイロードが重なり合った探索空間内に存在し、ＰＤＣＣＨペイロード同士が同じサイズであり）、かつｅＮｏｄｅＢ８０２がコンポーネントキャリアＣＣ１用のＣＩＦを含まないＰＤＣＣＨをＵＥ８０４に送信した場合（１５０２）、ＵＥ８０２は、ＰＤＣＣＨがＣＩＦを含まず、かつＰＤＣＣＨはアンカーコンポーネントキャリアＣＣ１用のＰＤＣＣＨであると仮定する。さらに、ＰＤＣＣＨあいまいさが存在し、かつｅＮｏｄｅＢ８０２がコンポーネントキャリアＣＣ２用のＣＩＦを含むＰＤＣＣＨをＵＥ８０４に送信した場合（１５０８）、ＵＥ８０２は、ＰＤＣＣＨがＣＩＦを含まず、かつＰＤＣＣＨはコンポーネントキャリアＣＣ１用のＰＤＣＣＨであると仮定する。そのような状況では、ＵＥ８０４は、受信されたＰＤＣＣＨを適切に復号することができない。したがって、この方法によれば、ＰＤＣＣＨあいまいさが存在する可能性がある場合、ｅＮｏｄｅＢ８０２は、コンポーネントキャリアＣＣ２をスケジューリングすべきではなく、アンカーコンポーネントキャリアＣＣ１のみをスケジューリングすべきである。
【００５９】
したがって、第５の例示的な方法によれば、ＵＥは、所与のサービングセル（たとえば、コンポーネントキャリアＣＣ２）用のＣＩＦを含むように構成され得る。また、ＵＥは、一次セル（たとえば、コンポーネントキャリアＣＣ１）内のＰＤＣＣＨ候補を監視するように構成され得る。ＵＥは、共通のペイロードサイズを有するＰＤＣＣＨおよび重なり合った探索空間内で情報を受信したときに（すなわち、共通の探索空間とＵＥ固有の探索空間内で同じ第１のＣＣＥインデックスｎCCEを受信したときに）、共通の探索空間内のＰＤＣＣＨは一次セル用の（または一次セルによって送信される）ＰＤＣＣＨであると仮定する。一構成では、ＵＥは、Ｃ−ＲＮＴＩによってスクランブルされたＣＲＣが情報に含まれるときにのみ共通のペイロードサイズを有する重なり合った探索空間内のＰＤＣＣＨは一次セル用のＰＤＣＣＨであると仮定する。そのような構成では、Ｃ−ＲＮＴＩ以外の他のＲＮＴＩによってスクランブルされたＣＲＣが情報に含まれるときには、ＰＤＣＣＨあいまいさは存在せず、ＵＥがそのような仮定をする必要はない。
【００６０】
図１６は、ワイヤレス通信の第１の方法のフローチャート１６００である。この方法は、ｅＮｏｄｅＢ８０２などのｅＮｏｄｅＢによって実行される。この方法によれば、ｅＮｏｄｅＢ８０２は、複数のコンポーネントキャリアを用いてＵＥ８０４などのＵＥを設定する（１６０２）。また、ｅＮｏｄｅＢは、ＵＥが、複数のコンポーネントキャリアのうちのあるコンポーネントキャリア上で送信されるグラントにＣＩＦが含まれているかどうかを判別できないときを決定する（１６０４）。さらに、ｅＮｏｄｅＢは、判別できないことが決定されたときはいつでもこのコンポーネントキャリアのみをグラントによってスケジューリングする（１６０６）。ｅＮｏｄｅＢは、このコンポーネントキャリア上のＰＤＣＣＨ内でグラントを送信し得る（１６０８）。このコンポーネントキャリアは一次コンポーネントキャリアであり得る。ＬＴＥ Ｒｅｌｅａｓｅ １０には、１つの一次コンポーネントキャリアのみが存在する。残りのコンポーネントキャリアは二次コンポーネントキャリアである。たとえば、コンポーネントキャリアＣＣ１は、それ自体およびコンポーネントキャリアＣＣ２用のＰＤＣＣＨを搬送し得、コンポーネントキャリアＣＣ３は、それ自体およびコンポーネントキャリアＣＣ４用のＰＤＣＣＨを搬送し得る。コンポーネントキャリアＣＣ１が一次コンポーネントキャリアである場合、コンポーネントキャリアＣＣ２、ＣＣ３、およびＣＣ４は二次コンポーネントキャリアである。一構成では、複数のコンポーネントキャリアには一次コンポーネントキャリアおよび少なくとも１つの二次コンポーネントキャリアが含まれ、ＣＩＦは、グラントが適用される複数のコンポーネントキャリアのうちの１つのコンポーネントキャリアを示す。一構成では、グラントは、ＰＵＳＣＨ内でトラフィックデータを送信するようにＵＥをスケジューリングするＵＬグラントまたはＰＤＳＣＨ内でトラフィックデータを受信するようにＵＥをスケジューリングするＤＬグラントの１つである。一構成では、グラントが共通の探索空間とＵＥ固有の探索空間の重なり合った探索空間内に配置され、かつグラントを受信するＵＥが、グラントのペイロードサイズに基づいてＣＩＦがグラントに含まれているかどうかを判別できないときには、このコンポーネントキャリアのみがスケジューリングされる。
【００６１】
図１７は、ワイヤレス通信の第２の方法のフローチャート１７００である。この方法は、ＵＥ８０４などのＵＥによって実行される。この方法によれば、ＵＥは、複数のコンポーネントキャリアのうちのあるコンポーネントキャリア上でグラントを受信する（１７０２）。このグラントは、ＵＥがグラントにＣＩＦが含まれているかどうかを判別できないときにこのコンポーネントキャリアのみをスケジューリングする（１７０２）。また、ＵＥは、グラントに基づいてｅＮｏｄｅＢと通信する（１７０４）。一構成では、グラントはＰＤＣＣＨ内で受信される。一構成では、このコンポーネントキャリアは一次コンポーネントキャリアである。一構成では、複数のコンポーネントキャリアには一次コンポーネントキャリアおよび少なくとも１つの二次コンポーネントキャリアが含まれ、ＣＩＦは、グラントが適用される複数のコンポーネントキャリアのうちの１つのコンポーネントキャリアを示す。一構成では、グラントは、グラントに付加されたＣＲＣがＣ−ＲＮＴＩによってスクランブルされているときにかぎりこのコンポーネントキャリアのみをスケジューリングする。一構成では、グラントは、ＰＵＳＣＨ内でトラフィックデータを送信するようにＵＥをスケジューリングするＵＬグラントまたはＰＤＳＣＨ内でトラフィックデータを受信するようにＵＥをスケジューリングするＤＬグラントの１つである。一構成では、グラントは、グラントが共通の探索空間とＵＥ固有の探索空間の重なり合った探索空間内で受信され、かつグラントを受信するＵＥが、グラントのペイロードサイズに基づいてＣＩＦがグラントに含まれているかどうかを判別できないときには、このコンポーネントキャリアのみをスケジューリングする。
【００６２】
図１８は、ワイヤレス通信の第３の方法のフローチャート１８００である。この方法は、ｅＮｏｄｅＢ８０２などのｅＮｏｄｅＢによって実行される。この方法によれば、ｅＮｏｄｅＢ８０２は、複数のコンポーネントキャリアを用いてＵＥ８０４などのＵＥを設定する（１８０２）。また、ｅＮｏｄｅＢは、ＵＥがグラントにＣＩＦが含まれているかどうかを判別できないときを決定する（１８０４）。さらに、ｅＮｏｄｅＢは、ＵＥがグラントにＣＩＦが含まれているかどうかを判別できないときにＣＩＦがグラントに含まれているかどうかをＵＥに示すためにグラントを修正する（１８０６）。ｅＮｏｄｅＢは、ＰＤＣＣＨ内でグラントを送信し得る（１８０８）。一構成では、グラントは、複数のコンポーネントキャリアのうちの一次コンポーネントキャリア内で送信され、複数のコンポーネントキャリアには、一次コンポーネントキャリアおよび少なくとも１つの二次コンポーネントキャリアが含まれ、ＣＩＦは、グラントが適用される複数のコンポーネントキャリアのうちの１つのコンポーネントキャリアを示す。一構成では、グラントは、ＰＵＳＣＨ内でトラフィックデータを送信するようにＵＥをスケジューリングするＵＬグラントまたはＰＤＳＣＨ内でトラフィックデータを受信するようにＵＥをスケジューリングするＤＬグラントの１つである。
【００６３】
図１９は、ワイヤレス通信の第３の方法の第２のフローチャート１９００である。この方法は、ｅＮｏｄｅＢ８０２などのｅＮｏｄｅＢによって実行される。第１の構成では、ｅＮｏｄｅＢはグラントに少なくとも１つの追加のビットをパディングする（１９０２）。グラントには、グラントが二次コンポーネントキャリア用のＵＥ固有の探索空間内で送信されるときにのみ少なくとも１つの追加のビットがパディングされる。第２の構成では、ｅＮｏｄｅＢは、グラントを含むＤＣＩに基づいてＣＲＣを決定する（１９０４）。そのような構成では、ｅＮｏｄｅＢは、ＣＩＦがグラントに含まれているかどうかに部分的に基づいてＣＲＣをスクランブルする（１９０６）。第３の構成では、ｅＮｏｄｅＢは、送信される出力ビットストリームを作成するためにレートマッチングを行う（１９０８）。このような構成では、ｅＮｏｄｅＢは、ＣＩＦを含むグラントに対してリソースマッピングを適用するときとＣＩＦを含まないグラントに対してリソースマッピングを適用するときとで仮想サーキュラーバッファ内の開始点が異なるようにレートマッチングにシフトを適用する（１９１０）。第４の構成では、ｅＮｏｄｅＢは、グラントが共通の探索空間とＵＥ固有の探索空間の重なり合った探索空間内に配置され、かつグラントを受信するＵＥが、グラントのペイロードサイズに基づいてＣＩＦがグラントに含まれているかどうかを判別できないときに、グラントにＣＩＦを含む（１９１２）。
【００６４】
図２０は、ワイヤレス通信の第４の方法のフローチャートである。この方法は、ＵＥ８０４などのＵＥによって実行される。ＵＥは、複数のコンポーネントキャリアのうちの１つのコンポーネントキャリア用のグラントを含むＤＣＩを受信する（２００２）。グラントは、ＵＥがＣＩＦにグラントが含まれているかどうかを判別できないときにＣＩＦが含まれているかどうかを示すために修正される（２００２）。また、ＵＥは、グラントに対する修正に基づいてＣＩＦがグラントに含まれているかどうかを決定する（２００４）。一構成では、グラントはＰＤＣＣＨ内で受信される。一構成では、グラントは、複数のコンポーネントキャリアのうちの一次コンポーネントキャリア内で送信され、複数のコンポーネントキャリアには、一次コンポーネントキャリアおよび少なくとも１つの二次コンポーネントキャリアが含まれ、ＣＩＦは、グラントが適用される複数のコンポーネントキャリアのうちの１つのコンポーネントキャリアを示す。一構成では、グラントは、ＰＵＳＣＨ内でトラフィックデータを送信するようにＵＥをスケジューリングするＵＬグラントまたはＰＤＳＣＨ内でトラフィックデータを受信するようにＵＥをスケジューリングするＤＬグラントの１つである。一構成では、ＵＥは、グラントに含まれるパディングに基づいてＣＩＦがグラントに含まれているかどうかを決定する。グラントには、グラントが二次コンポーネントキャリア用のＵＥ固有の探索空間内で受信されるときにのみ少なくとも１つの追加のビットがパディングされ得る。一構成では、グラントは、グラントが共通の探索空間とＵＥ固有の探索空間の重なり合った探索空間内で受信され、かつＵＥが、グラントのペイロードサイズに基づいてＣＩＦがグラントに含まれているかどうかを判別できないときには、常にＣＩＦを含む。
【００６５】
図２１は、ワイヤレス通信の第４の方法の第２のフローチャートである。この方法は、ＵＥ８０４などのＵＥによって実行される。この方法によれば、ＵＥは受信されたＤＣＩのＣＲＣを生成する（２１０２）。また、ＵＥは、グラント内のＣＩＦの有無に関連するビットの２つの所定のセットのうちの少なくとも一方に基づいてＤＣＩとともに受信されたＣＲＣを逆スクランブルする（２１０４）。さらに、ＵＥは、生成されたＣＲＣと逆スクランブルされたＣＲＣを比較して、ＣＩＦがグラントに含まれているかどうかを決定する（２１０６）。
【００６６】
図２２は、ワイヤレス通信の第４の方法の第３のフローチャートである。この方法は、ＵＥ８０４などのＵＥによって実行される。この方法によれば、ＵＥは、ＣＩＦがＤＣＩに存在しないことに関連するビットの第１のセットに基づいてＤＣＩとともに受信されたＣＲＣを逆スクランブルして逆スクランブルされた第１のＣＲＣを作成し（２２０２）、ＣＩＦがＤＣＩに存在することに関連するビットの第２のセットに基づいてＤＣＩとともに受信されたＣＲＣを逆スクランブルして逆スクランブルされた第２のＣＲＣを作成する（２２０４）ことによってＣＲＣを逆スクランブルする。次いで、ＵＥは、生成されたＣＲＣが、逆スクランブルされた第１のＣＲＣに一致するかそれとも逆スクランブルされた第２のＣＲＣに一致するかに基づいて、グラントがＣＩＦを含むかどうかを決定する（２２０６）。
【００６７】
図２３は、ワイヤレス通信の第４の方法の第４のフローチャートである。この方法は、ＵＥ８０４などのＵＥによって実行される。この方法によれば、ＵＥは、複数のコンポーネントキャリアのうちの１つのコンポーネントキャリア用のグラントを含むＤＣＩを受信する（２３０２）。グラントは、グラントがＣＩＦを含むかどうかをＵＥが判別できないときにＣＩＦが含まれているかどうかを示すために修正される（２３０２）。また、ＵＥは、レートマッチング時に適用された仮想サーキュラーバッファ内の複数の所定の開始点の各々に基づいて受信されたＤＣＩを復号する（２３０４）。さらに、ＵＥは、受信されたＤＣＩが適切に復号されたかどうかに基づいてＣＩＦがグラントに含まれているかどうかを決定する（２３０６）。複数の所定の開始点には、ＣＩＦがグラントに含まれているときに利用される第１の開始点、およびＣＩＦがグラントに含まれていないときに利用される、第１の開始点とは異なる第２の開始点が含まれ得る。
【００６８】
図２４は、ワイヤレス通信の別の方法のフローチャートである。この方法は、ＵＥ８０４などのＵＥによって実行される。この方法によれば、ＵＥは、複数のサービングセルのうちのあるサービングセル用のＣＩＦを受信するための構成を受信する（２４０２）。また、ＵＥは複数のサービングセルのうちの一次セル上でＰＤＣＣＨを監視する（２４０４）。この一次セルは上記のサービングセルとは異なる（２４０４）。さらに、ＰＤＣＣＨ内で受信された情報が、共通のペイロードサイズを有し、かつ、共通の探索空間の第１のＣＣＥインデックス／共通の探索空間内の第１のＣＣＥインデックスがＵＥ固有の探索空間の第１のＣＣＥインデックス／ＵＥ固有の探索空間内の第１のＣＣＥインデックスと等しい共通の探索空間内に存在するとき、受信された情報は一次セル用の情報である、とＵＥは仮定する（２４０６）。共通のペイロードサイズは、情報がサービングセル用の情報であるか上記の一次セル用の情報であると仮定されるかにかかわらず等しいペイロードサイズである。したがって、共通のペイロードサイズは、受信された情報がＣＩＦを含み、かつサービングセル用の情報であると仮定すると受信された情報のペイロードサイズに等しく、情報がＣＩＦを含まず、かつ一次セル用の情報であると仮定すると、受信された情報のペイロードサイズに等しい。上記で説明したように、ＰＤＣＣＨ内で受信された情報は、その情報がＣ−ＲＮＴＩによってスクランブルされたＣＲＣを含むときにのみ一次セル用の情報であると仮定され得る。
【００６９】
したがって、所与のサービングセル用のＣＩＦを含むように構成されるとともに、Ｃ−ＲＮＴＩによってスクランブルされたＣＲＣ、共通のペイロードサイズサイズ、および共通の探索空間とＵＥ固有の探索空間内で同じ第１のＣＣＥインデックスｎCCEを有するＰＤＣＣＨ候補を監視するように構成されたＵＥは、共通の探索空間内のＰＤＣＣＨのみが一次セルによって（すなわち、一次セルのために）送信されると仮定し得る。
【００７０】
図２５は、例示的なｅＮｏｄｅＢ装置１００の機能を示す概念ブロック図２５００である。装置１００は、複数のコンポーネントキャリアを用いてＵＥを設定するモジュール２５０２を含む。また、装置１００は、ＵＥが、複数のコンポーネントキャリアのうちのあるコンポーネントキャリア上で送信されるグラントにＣＩＦが含まれているかどうかを判別できないときを決定するモジュール２５０４を含む。さらに、装置１００は、ｅＮｏｄｅＢは、判別できないことが決定されたときはいつでもこのコンポーネントキャリアのみをグラントによってスケジューリングするモジュール２５０６を含む。装置１００は、図２５には含まれていないが上述の図１６のフローチャートに含まれているステップの各々を実行する追加のモジュールを含み得る。したがって、上述の図１６のフローチャート内の各ステップは、１つのモジュールによって実行され得、装置１００は、それらのモジュールのうちの１つまたは複数を含み得る。
【００７１】
図２６は、別の例示的なＵＥ装置１００の機能を示す概念ブロック図２６００である。装置１００は、複数のコンポーネントキャリアのうちのあるコンポーネントキャリア上でグラントを受信するモジュール２６０２を含む。このグラントは、ＵＥがグラントにＣＩＦが含まれているかどうかを判別できないときにこのコンポーネントキャリアのみをスケジューリングする。また、この装置１００は、グラントに基づいてｅＮｏｄｅＢと通信するモジュール２６０４を含む。
【００７２】
図２７は、別の例示的なｅＮｏｄｅＢ装置１００の機能を示す概念ブロック図２７００である。装置１００は、複数のコンポーネントキャリアを用いてＵＥを設定するモジュール２７０２を含む。また、装置１００は、ＵＥが、グラントにＣＩＦが含まれているかどうかを判別できないときを決定するモジュール２７０４を含む。さらに、装置１００は、ＵＥがグラントにＣＩＦが含まれているかどうかを判別できないときにＣＩＦがグラントに含まれているかどうかをＵＥに示すためにグラントを修正するモジュール２７０６を含む。装置１００は、図２７には含まれていないが上述の図１８および図１９のフローチャートに含まれているステップの各々を実行する追加のモジュールを含み得る。したがって、上述の図１８および図１９のフローチャート内の各ステップは、１つのモジュールによって実行され得、装置１００は、それらのモジュールのうちの１つまたは複数を含み得る。
【００７３】
図２８は、別の例示的なＵＥ装置１００の機能を示す概念ブロック図２８００である。装置１００は、複数のコンポーネントキャリアのうちのあるコンポーネントキャリア用のグラントを含むＤＣＩを受信するモジュール２８０２を含む。グラントは、グラントがＣＩＦを含むかどうかをＵＥが判別できないときにＣＩＦが含まれているかどうかを示すために修正される。また、装置１００は、グラントに対する修正に基づいてＣＩＦがグラントに含まれているかどうかを決定するモジュール２８０４を含む。装置１００は、図２８には含まれていないが上述の図２０〜図２３のフローチャートに含まれているステップの各々を実行する追加のモジュールを含み得る。したがって、上述の図２０〜図２３のフローチャート内の各ステップは、１つのモジュールによって実行され得、装置１００は、それらのモジュールのうちの１つまたは複数を含み得る。
【００７４】
図２９は、別の例示的なＵＥ装置１００の機能を示す概念ブロック図２８００である。装置１００は、複数のサービングセルのうちのあるサービングセル用のＣＩＦを受信するための構成を受信するモジュール２９０２を含む。また、装置１００は、複数のサービングセルのうちの一次セル上でＰＤＣＣＨを監視するモジュール２９０４を含む。この一次セルは上記のサービングセルとは異なる。さらに、装置１００は、ＰＤＣＣＨ内で受信された情報が、共通のペイロードサイズを有し、かつ、共通の探索空間の第１のＣＣＥインデックスがＵＥ固有の探索空間の第１のＣＣＥインデックスと等しい共通の探索空間内に存在するときに、受信された情報は一次セル用の情報であると仮定するモジュール２９０６を含む。共通のペイロードサイズは、情報がサービングセル用の情報であるか一次セル用の情報であると仮定されるかにかかわらず等しいペイロードサイズである。したがって、共通のペイロードサイズは、受信された情報がＣＩＦを含み、かつサービングセル用の情報であると仮定すると受信された情報のペイロードサイズに等しく、情報がＣＩＦを含まず、かつ一次セル用の情報であると仮定すると、受信された情報のペイロードサイズに等しい。上記で説明したように、ＰＤＣＣＨ内で受信された情報は、その情報がＣ−ＲＮＴＩによってスクランブルされたＣＲＣを含むときにのみ一次セル用の情報であると仮定され得る。
【００７５】
図１および図７を参照すると、一構成では、ワイヤレス通信用の装置１００は、ｅＮｏｄｅＢ８０２などのｅＮｏｄｅＢであり、複数のコンポーネントキャリアを用いてＵＥを設定するための手段と、ＵＥが、複数のコンポーネントキャリアのうちのあるコンポーネントキャリア上で送信されるグラントにＣＩＦが含まれているかどうかを判別できないときを決定するための手段と、判別できないことが決定されたときはいつでもグラントによってこのコンポーネントキャリアのみをスケジューリングするための手段とを含む。装置１００は、このコンポーネントキャリア上のＰＤＣＣＨ内でグラントを送信するための手段をさらに含み得る。上述の手段は、上述の手段によって記載された機能を実行するように構成された処理システム１１４である。上記で説明したように、処理システム１１４は、ＴＸプロセッサ７１６と、ＲＸプロセッサ７７０と、コントローラ／プロセッサ７７５とを含む。したがって、一構成では、上述の手段は、上述の手段によって記載された機能を実行するように構成されたＴＸプロセッサ７１６と、ＲＸプロセッサ７７０および／または、コントローラ／プロセッサ７７５とであり得る。
【００７６】
一構成では、ワイヤレス通信用の装置１００は、ＵＥ８０４などのＵＥであり、複数のコンポーネントキャリアのうちのあるコンポーネントキャリア上でグラントを受信するための手段と、グラントに基づいてｅＮｏｄｅＢと通信するための手段とを含む。このグラントは、装置がグラントにＣＩＦが含まれているかどうかを判別できないときにこのコンポーネントキャリアのみをスケジューリングする。上述の手段は、上述の手段によって記載された機能を実行するように構成された処理システム１１４である。上記で説明したように、処理システム１１４は、ＴＸプロセッサ７６８と、ＲＸプロセッサ７５６と、コントローラ／プロセッサ７５９とを含む。したがって、一構成では、上述の手段は、上述の手段によって記載された機能を実行するように構成されたＴＸプロセッサ７６８および／または、ＲＸプロセッサ７５６と、コントローラ／プロセッサ７５９とであり得る。
【００７７】
一構成では、ワイヤレス通信用の装置１００は、ｅＮｏｄｅＢ８０２などのｅＮｏｄｅＢであり、複数のコンポーネントキャリアを用いてＵＥを設定するための手段と、ＵＥがグラントにＣＩＦが含まれているかどうかを判別できないときを決定するための手段と、ＵＥがグラントにＣＩＦが含まれているかどうかを判別できないときにＣＩＦがグラントに含まれているかどうかをＵＥに示すためにグラントを修正するための手段とを含む。装置１００は、ＰＤＣＣＨ内でグラントを送信するための手段をさらに含み得る。装置１００は、グラントを含むＤＣＩに基づいてＣＲＣを決定するための手段をさらに含み得る。そのような構成では、修正のための手段は、ＣＩＦがグラントに含まれているかどうかに部分的に基づいてＣＲＣをスクランブルする。装置１００は、送信される出力ビットストリームを作成するためにレートマッチングを行うための手段をさらに含み得る。このような構成では、修正するための手段は、ＣＩＦを含むグラントに対してリソースマッピングを適用するときとＣＩＦを含まないグラントに対してリソースマッピングを適用するときとで仮想サーキュラーバッファ内の開始点が異なるようにレートマッチングにシフトを適用する。上述の手段は、上述の手段によって記載された機能を実行するように構成された処理システム１１４である。上記で説明したように、処理システム１１４は、ＴＸプロセッサ７１６と、ＲＸプロセッサ７７０と、コントローラ／プロセッサ７７５とを含む。したがって、一構成では、上述の手段は、上述の手段によって記載された機能を実行するように構成されたＴＸプロセッサ７１６と、ＲＸプロセッサ７７０および／または、コントローラ／プロセッサ７７５とであり得る。
【００７８】
一構成では、ワイヤレス通信用の装置１００は、ＵＥ８０４などのＵＥであり、複数のコンポーネントキャリアのうちの１つのコンポーネントキャリア用のグラントを含むＤＣＩを受信するための手段を含む。グラントは、グラントがＣＩＦを含むかどうかを装置が判別できないときにＣＩＦが含まれているかどうかを示すために修正される。装置１００は、グラントに対する修正に基づいてＣＩＦがグラントに含まれているかどうかを決定するための手段をさらに含む。装置１００は、受信されたＤＣＩのＣＲＣを生成するための手段と、グラント内のＣＩＦの有無に関連するビットの２つの所定のセットのうちの少なくとも１つのセットに基づいてＤＣＩとともに受信されたＣＲＣを逆スクランブルするための手段と、生成されたＣＲＣと逆スクランブルされたＣＲＣを比較してグラントにＣＩＦが含まれているかどうかを決定するための手段とをさらに含み得る。一構成では、ＣＲＣを逆スクランブルする手段は、ＣＩＦがＤＣＩに存在しないことに関連するビットの第１のセットに基づいてＤＣＩとともに受信されたＣＲＣを逆スクランブルして逆スクランブルされた第１のＣＲＣを作成するための手段と、ＣＩＦがＤＣＩに存在することに関連するビットの第２のセットに基づいてＤＣＩとともに受信されたＣＲＣを逆スクランブルして逆スクランブルされた第２のＣＲＣを作成するための手段とを含む。そのような構成では、装置１００は、生成されたＣＲＣが、逆スクランブルされた第１のＣＲＣに一致するかそれとも逆スクランブルされた第２のＣＲＣに一致するかに基づいて、グラントがＣＩＦを含むかどうかを決定するための手段をさらに含む。装置１００は、レートマッチング時に適用された仮想サーキュラーバッファ内の複数の所定の開始点の各々に基づいて受信されたＤＣＩを復号するための手段をさらに含み得る。そのような構成では、ＣＩＦがグラントに含まれているかどうかを決定するための手段は、受信されたＤＣＩが適切に復号されたかどうかに基づく。上述の手段は、上述の手段によって記載された機能を実行するように構成された処理システム１１４である。上記で説明したように、処理システム１１４は、ＴＸプロセッサ７６８と、ＲＸプロセッサ７５６と、コントローラ／プロセッサ７５９とを含む。したがって、一構成では、上述の手段は、上述の手段によって記載された機能を実行するように構成されたＴＸプロセッサ７６８と、ＲＸプロセッサ７５６および／または、コントローラ／プロセッサ７５９とであり得る。
【００７９】
一構成では、ワイヤレス通信用の装置１００は、ＵＥ８０４などのＵＥであり、複数のサービングセルのうちの１つのサービングセル用のＣＩＦを受信するための構成を受信するための手段を含む。また、装置１００は、複数のサービングセルのうちの一次セル上でＰＤＣＣＨを監視するための手段を含む。この一次セルは上記のサービングセルとは異なる。さらに、装置１００は、ＰＤＣＣＨ内で受信された情報が、共通のペイロードサイズを有し、かつ、共通の探索空間の第１のＣＣＥインデックスがＵＥ固有の探索空間の第１のＣＣＥインデックスと等しい共通の探索空間内に存在するときに、受信された情報は一次セル用の情報であると仮定するための手段を含む。上述の手段は、上述の手段によって記載された機能を実行するように構成された処理システム１１４である。上記で説明したように、処理システム１１４は、ＴＸプロセッサ７６８と、ＲＸプロセッサ７５６と、コントローラ／プロセッサ７５９とを含む。したがって、一構成では、上述の手段は、上述の手段によって記載された機能を実行するように構成されたＴＸプロセッサ７６８と、ＲＸプロセッサ７５６および／または、コントローラ／プロセッサ７５９とであり得る。
【００８０】
開示したプロセスにおけるステップの特定の順序または階層は、例示的な手法の一例であることを理解されたい。設計上の選好に基づいて、プロセスにおける各ステップの特定の順序または階層は並べ替えることができることを理解されたい。添付の方法クレームは、様々なステップの要素を例示的な順序で提示したものであり、提示された特定の順序または階層に限定されるものではない。
【００８１】
以上の記述は、当業者が本明細書で記述された様々な態様を実行できるようにするために提供したものである。これらの態様に対する様々な変更は当業者には容易に明らかであり、本明細書で定義された一般的原理は他の態様に適用することができる。したがって、特許請求の範囲は、本明細書に示された態様に限定されるものではなく、文言によるクレームに矛盾しない最大限の範囲を与えられるべきであり、単数形の要素への言及は、明確にそう明記されていない限り、「１つ及びただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって記述された様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に記載されているかどうかにかかわらず、公に供するものではない。いかなるクレーム要素も、その要素が「手段」という語句を使用して明白に記載されていない限り、または方法クレームの場合には、その要素が「ステップ」という語句を使用して記載されていない限り、米国特許法第１１２条第６項の規定に基づいて解釈されるべきではない。
【図１】
2020205606.tif 000003
【図２】
2020205606.tif 000004
【図３】
2020205606.tif 000005
【図４】
2020205606.tif 000006
【図５】
2020205606.tif 000007
【図６】
2020205606.tif 000008
【図７】
2020205606.tif 000009
【図８】
2020205606.tif 000010
【図９】
2020205606.tif 000011
【図１０】
2020205606.tif 000012
【図１１】
2020205606.tif 000013
【図１２】
2020205606.tif 000014
【図１３】
2020205606.tif 000015
【図１４】
2020205606.tif 000016
【図１５】
2020205606.tif 000017
【図１６】
2020205606.tif 000018
【図１７】
2020205606.tif 000019
【図１８】
2020205606.tif 000020
【図１９】
2020205606.tif 000021
【図２０】
2020205606.tif 000022
【図２１】
2020205606.tif 000023
【図２２】
2020205606.tif 000024
【図２３】
2020205606.tif 000025
【図２４】
2020205606.tif 000026
【図２５】
2020205606.tif 000027
【図２６】
2020205606.tif 000028
【図２７】
2020205606.tif 000029
【図２８】
2020205606.tif 000030
【図２９】
2020205606.tif 000031
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
１つまたは複数のプロセッサを介して、一次コンポーネントキャリアおよび少なくとも１つの二次コンポーネントキャリアを備える複数のコンポーネントキャリアを用いてユーザ機器（ＵＥ）を設定することと、
前記１つまたは複数のプロセッサを介して、グラント中にキャリアインジケータフィールド（ＣＩＦ）を含むことと、
前記１つまたは複数のプロセッサを介して、共通探索空間における前記一次コンポーネントキャリア上で前記グラントを送信することと
を備え、前記ＣＩＦは、前記グラントが適用する前記複数のコンポーネントキャリアのうちの１つのコンポーネントキャリアを示し、前記グラントは、共通ペイロードサイズを有し、前記共通探索空間およびＵＥ固有の探索空間の重なり合う探索空間中に位置し、前記共通探索空間は、前記共通の探索空間および前記ＵＥ固有の探索空間の第１の制御チャネル要素（ＣＣＥ）インデックスが等しいとき前記ＵＥ固有の探索空間と重なり合う、
方法。
【請求項２】
前記グラントは、前記一次コンポーネントキャリア上の物理ダウンリンク制御チャネル（ＰＤＣＣＨ）において送信される、請求項１に記載の方法。
【請求項３】
前記グラントに付加された巡回冗長検査（ＣＲＣ）は、セル無線ネットワーク一時識別子（Ｃ−ＲＮＴＩ）でスクランブルされる、請求項１に記載の方法。
【請求項４】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、請求項１に記載の方法。
【請求項５】
ユーザ機器（ＵＥ）を動作させる方法であって、
１つまたは複数のプロセッサを介して、共通探索空間において、複数のコンポーネントキャリアのうちの一次コンポーネントキャリア上で基地局によって送信されたキャリアインジケータフィールド（ＣＩＦ）を備えるグラントを推定すること、前記複数のコンポーネントキャリアは、前記一次コンポーネントキャリアおよび少なくとも１つの二次コンポーネントキャリアを備える、と、
前記１つまたは複数のプロセッサを介して、前記推定することに基づいて前記グラントを受信することと、
前記１つまたは複数のプロセッサを介して、前記グラントに基づいて前記基地局と通信することと
を備え、前記ＣＩＦは、前記グラントが適用する前記複数のコンポーネントキャリアのうちの１つのコンポーネントキャリアを示し、前記グラントは、共通ペイロードサイズを有し、前記共通探索空間及びＵＥ固有の探索空間の重なり合う探索空間中に位置し、前記共通探索空間は、前記共通の探索空間および前記ＵＥ固有の探索空間の第１の制御チャネル要素（ＣＣＥ）インデックスが等しいとき前記ＵＥ固有の探索空間と重なり合う、
方法。
【請求項６】
前記グラントは、物理ダウンリンク制御チャネル（ＰＤＣＣＨ）内で受信される、請求項５に記載の方法。
【請求項７】
前記グラントに付加された巡回冗長検査（ＣＲＣ）は、セル無線ネットワーク一時識別子（Ｃ−ＲＮＴＩ）でスクランブルされる、請求項５に記載の方法。
【請求項８】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、請求項５に記載の方法。
【請求項９】
ワイヤレス通信のための装置であって、
一次コンポーネントキャリアおよび少なくとも１つの二次コンポーネントキャリアを備える複数のコンポーネントキャリアを用いてユーザ機器（ＵＥ）を設定するための手段と、
グラント中にキャリアインジケータフィールド（ＣＩＦ）を含むための手段と、
共通探索空間における前記一次コンポーネントキャリア上で前記グラントを送信するための手段と
を備え、前記ＣＩＦは、前記グラントが適用する前記複数のコンポーネントキャリアのうちの１つのコンポーネントキャリアを示し、前記グラントは、共通ペイロードサイズを有し、前記共通探索空間およびＵＥ固有の探索空間の重なり合う探索空間中に位置し、前記共通探索空間は、前記共通の探索空間および前記ＵＥ固有の探索空間の第１の制御チャネル要素（ＣＣＥ）インデックスが等しいとき前記ＵＥ固有の探索空間と重なり合う、
装置。
【請求項１０】
前記グラントは、一次コンポーネントキャリア上の物理ダウンリンク制御チャネル（ＰＤＣＣＨ）において送信される、請求項９に記載の装置。
【請求項１１】
前記グラントに付加された巡回冗長検査（ＣＲＣ）は、セル無線ネットワーク一時識別子（Ｃ−ＲＮＴＩ）でスクランブルされる、請求項９に記載の装置。
【請求項１２】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、請求項９に記載の装置。
【請求項１３】
ワイヤレス通信のための装置であって、
共通探索空間において、複数のコンポーネントキャリアのうちの一次コンポーネントキャリア上で基地局によって送信されたキャリアインジケータフィールド（ＣＩＦ）を備えるグラントを推定するための手段、前記複数のコンポーネントキャリアは、前記一次コンポーネントキャリアおよび少なくとも１つの二次コンポーネントキャリアを備える、と、
前記推定することに基づいて前記グラントを受信するための手段と、
前記グラントに基づいて前記基地局と通信するための手段と
を備え、前記ＣＩＦは、前記グラントが適用する前記複数のコンポーネントキャリアのうちの１つのコンポーネントキャリアを示し、前記グラントは、共通ペイロードサイズを有し、前記共通探索空間及びＵＥ固有の探索空間の重なり合う探索空間中に位置し、前記共通探索空間は、前記共通の探索空間および前記ＵＥ固有の探索空間の第１の制御チャネル要素（ＣＣＥ）インデックスが等しいとき前記ＵＥ固有の探索空間と重なり合う、
装置。
【請求項１４】
前記グラントは、物理ダウンリンク制御チャネル（ＰＤＣＣＨ）内で受信される、請求項１３に記載の装置。
【請求項１５】
前記グラントに付加された巡回冗長検査（ＣＲＣ）は、セル無線ネットワーク一時識別子（Ｃ−ＲＮＴＩ）でスクランブルされる、請求項１３に記載の装置。
【請求項１６】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、請求項１３に記載の装置。
【請求項１７】
装置によってワイヤレス通信するための非一時的コンピュータ可読媒体であって、前記非一時的コンピュータ可読媒体は、前記装置に、
一次コンポーネントキャリアおよび少なくとも１つの二次コンポーネントキャリアを備える複数のコンポーネントキャリアを用いてユーザ機器（ＵＥ）を設定することと、
グラント中にキャリアインジケータフィールド（ＣＩＦ）を含むことと、
共通探索空間における前記一次コンポーネントキャリア上で前記グラントを送信することと
を行わせるように少なくとも１つのプロセッサによって実行可能なコードを備え、前記ＣＩＦは、前記グラントが適用する前記複数のコンポーネントキャリアのうちの１つのコンポーネントキャリアを示し、前記グラントは、共通ペイロードサイズを有し、前記共通探索空間およびＵＥ固有の探索空間の重なり合う探索空間中に位置し、前記共通探索空間は、前記共通の探索空間および前記ＵＥ固有の探索空間の第１の制御チャネル要素（ＣＣＥ）インデックスが等しいとき前記ＵＥ固有の探索空間と重なり合う、
非一時的コンピュータ可読媒体。
【請求項１８】
ユーザ機器（ＵＥ）によってワイヤレス通信するための非一時的コンピュータ可読媒体であって、前記非一時的コンピュータ可読媒体は、
共通探索空間において、複数のコンポーネントキャリアのうちの一次コンポーネントキャリア上で基地局によって送信されたキャリアインジケータフィールド（ＣＩＦ）を備えるグラントを推定すること、前記複数のコンポーネントキャリアは、前記一次コンポーネントキャリアおよび少なくとも１つの二次コンポーネントキャリアを備える、と、
前記推定することに基づいて前記グラントを受信することと、
前記グラントに基づいて前記基地局と通信することと
を行うように少なくとも１つのプロセッサによって実行可能なコードを備え、前記ＣＩＦは、前記グラントが適用する前記複数のコンポーネントキャリアのうちの１つのコンポーネントキャリアを示し、前記グラントは、共通ペイロードサイズを有し、前記共通探索空間及びＵＥ固有の探索空間の重なり合う探索空間中に位置し、前記共通探索空間は、前記共通の探索空間および前記ＵＥ固有の探索空間の第１の制御チャネル要素（ＣＣＥ）インデックスが等しいとき前記ＵＥ固有の探索空間と重なり合う、
非一時的コンピュータ可読媒体。
【請求項１９】
ワイヤレス通信のための装置であって、
少なくとも１つのプロセッサと、
前記少なくとも１つのプロセッサに結合されたメモリと
を備え、前記メモリは、前記装置に、
一次コンポーネントキャリアおよび少なくとも１つの二次コンポーネントキャリアを備える複数のコンポーネントキャリアを用いてユーザ機器（ＵＥ）を設定することと、
前記１つまたは複数プロセッサを介して、グラント中にキャリアインジケータフィールド（ＣＩＦ）を含むことと、
共通探索空間における前記一次コンポーネントキャリア上で前記グラントを送信することと
を行わせるように少なくとも１つのプロセッサによって実行可能なコードを含み、前記ＣＩＦは、前記グラントが適用する前記複数のコンポーネントキャリアのうちの１つのコンポーネントキャリアを示し、前記グラントは、共通ペイロードサイズを有し、前記共通探索空間およびＵＥ固有の探索空間の重なり合う探索空間中に位置し、前記共通探索空間は、前記共通の探索空間および前記ＵＥ固有の探索空間の第１の制御チャネル要素（ＣＣＥ）インデックスが等しいとき前記ＵＥ固有の探索空間と重なり合う、
装置。
【請求項２０】
ワイヤレス通信のための装置であって、
少なくとも１つのプロセッサと、
前記少なくとも１つのプロセッサに結合されたメモリと
を備え、前記メモリは、前記装置に、
共通探索空間において、複数のコンポーネントキャリアのうちの一次コンポーネントキャリア上で基地局によって送信されたキャリアインジケータフィールド（ＣＩＦ）を備えるグラントを推定すること、前記複数のコンポーネントキャリアは、前記一次コンポーネントキャリアおよび少なくとも１つの二次コンポーネントキャリアを備える、と、
前記推定することに基づいて前記グラントを受信することと、
前記グラントに基づいて前記基地局と通信することと
を行わせるように少なくとも１つのプロセッサによって実行可能なコードを含み、前記ＣＩＦは、前記グラントが適用する前記複数のコンポーネントキャリアのうちの１つのコンポーネントキャリアを示し、前記グラントは、共通ペイロードサイズを有し、前記共通探索空間及びＵＥ固有の探索空間の重なり合う探索空間中に位置し、前記共通探索空間は、前記共通の探索空間および前記ＵＥ固有の探索空間の第１の制御チャネル要素（ＣＣＥ）インデックスが等しいとき前記ＵＥ固有の探索空間と重なり合う、
装置。
【手続補正２】
【補正対象書類名】明細書
【補正対象項目名】００８１
【補正方法】変更
【補正の内容】
【００８１】
以上の記述は、当業者が本明細書で記述された様々な態様を実行できるようにするために提供したものである。これらの態様に対する様々な変更は当業者には容易に明らかであり、本明細書で定義された一般的原理は他の態様に適用することができる。したがって、特許請求の範囲は、本明細書に示された態様に限定されるものではなく、文言によるクレームに矛盾しない最大限の範囲を与えられるべきであり、単数形の要素への言及は、明確にそう明記されていない限り、「１つ及びただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって記述された様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に記載されているかどうかにかかわらず、公に供するものではない。いかなるクレーム要素も、その要素が「手段」という語句を使用して明白に記載されていない限り、または方法クレームの場合には、その要素が「ステップ」という語句を使用して記載されていない限り、米国特許法第１１２条第６項の規定に基づいて解釈されるべきではない。
以下に、本願出願の当初の特許請求の範囲に記載された発明を付記する。
［Ｃ１］
ワイヤレス通信の方法であって、
複数のコンポーネントキャリアを用いてユーザ機器（ＵＥ）を設定することと、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定することと、
前記判別できないことが決定されたときはいつでも前記グラントによって前記コンポーネントキャリアのみをスケジューリングすることと
を備える方法。
［Ｃ２］
前記コンポーネントキャリア上で物理ダウンリンク制御チャネル（ＰＤＣＣＨ）内の前記グラントを送信することをさらに備える、［Ｃ１］に記載の方法。
［Ｃ３］
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、［Ｃ１］に記載の方法。
［Ｃ４］
前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみがスケジューリングされる、［Ｃ１］に記載の方法。
［Ｃ５］
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、［Ｃ１］に記載の方法。
［Ｃ６］
前記グラントが共通の探索空間とＵＥ固有の探索空間の重なり合った探索空間内に配置され、前記グラントを受信する前記ＵＥが、前記グラントのペイロードサイズに基づいて前記ＣＩＦが前記グラントに含まれているかどうかを判別することができないときに、前記コンポーネントキャリアのみがスケジューリングされ、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う、［Ｃ１］に記載の方法。
［Ｃ７］
ユーザ機器（ＵＥ）を動作させる方法であって、
複数のコンポーネントキャリアのうちのあるコンポーネントキャリア上でグラントを受信することと、
前記グラント上でｅＮｏｄｅＢと通信することとを備え、
前記グラントは、前記ＵＥがグラントにキャリアインジケータフィールド（ＣＩＦ）が含まれているかどうかを判別できないときに前記コンポーネントキャリアのみをスケジューリングする方法。
［Ｃ８］
前記グラントは、物理ダウンリンク制御チャネル（ＰＤＣＣＨ）内で受信される、［Ｃ７］に記載の方法。
［Ｃ９］
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、［Ｃ７］に記載の方法。
［Ｃ１０］
前記グラントは、前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみをスケジューリングする、［Ｃ７］に記載の方法。
［Ｃ１１］
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、［Ｃ７］に記載の方法。
［Ｃ１２］
前記グラントが共通の探索空間とＵＥ固有の探索空間の重なり合った探索空間内で受信され、前記グラントを受信する前記ＵＥが、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う、［Ｃ７］に記載の方法。
［Ｃ１３］
ワイヤレス通信のための装置であって、
複数のコンポーネントキャリアを用いてユーザ機器（ＵＥ）を設定するための手段と、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定するための手段と、
前記判別できないことが決定されたときはいつでも、前記グラントによって前記コンポーネントキャリアのみをスケジューリングする手段と
を備える装置。
［Ｃ１４］
前記コンポーネントキャリア上で物理ダウンリンク制御チャネル（ＰＤＣＣＨ）内のグラントを送信するための手段をさらに備える、［Ｃ１３］に記載の装置。
［Ｃ１５］
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、［Ｃ１３］に記載の装置。
［Ｃ１６］
前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみがスケジューリングされる、［Ｃ１３］に記載の装置。
［Ｃ１７］
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントの１つである、［Ｃ１３］に記載の装置。
［Ｃ１８］
前記グラントが共通の探索空間とＵＥ固有の探索空間の重なり合った探索空間内に配置され、前記グラントを受信する前記ＵＥが、前記グラントのペイロードサイズに基づいて前記ＣＩＦが前記グラントに含まれているかどうかを判別することができないときに、前記コンポーネントキャリアのみがスケジューリングされ、前記共通の探索空間の第１の制御チャネル要素（ＣＣＥ）インデックスと前記ＵＥ固有の探索空間の第１のＣＣEインデックスが等しいときに前記共通の探索空間が前記ＵＥ固有の探索空間と重なり合う、［Ｃ１３］に記載の装置。
［Ｃ１９］
ワイヤレス通信のための装置であって、
複数のコンポーネントキャリアのうちのあるコンポーネントキャリア上でグラントを受信するための手段と、
前記グラントに基づいてｅＮｏｄｅＢと通信するための手段とを備え、
前記グラントは、前記装置がグラントにキャリアインジケータフィールド（ＣＩＦ）が含まれているかどうかを判別できないときに前記コンポーネントキャリアのみをスケジューリングする装置。
［Ｃ２０］
前記グラントは、物理ダウンリンク制御チャネル（ＰＤＣＣＨ）内で受信される、［Ｃ１９］に記載の装置。
［Ｃ２１］
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、［Ｃ１９］に記載の装置。
［Ｃ２２］
前記グラントは、前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみをスケジューリングする、［Ｃ１９］に記載の装置。
［Ｃ２３］
前記グラントは、物理アップリンク共有チャネル（ＰＵＳＣＨ）内でトラフィックデータを送信するように前記装置をスケジューリングするアップリンク（ＵＬ）グラントまたは物理ダウンリンク共有チャネル（ＰＤＳＣＨ）内でトラフィックデータを受信するように前記装置をスケジューリングするダウンリンク（ＤＬ）グラントの１つである、［Ｃ１９］に記載の装置。
［Ｃ２４］
前記グラントが共通の探索空間とＵＥ固有の探索空間の重なり合った探索空間内で受信され、前記グラントを受信する前記装置が、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う、［Ｃ１９］に記載の装置。
［Ｃ２５］
コンピュータプログラム製品であって、
複数のコンポーネントキャリアを用いてユーザ機器（ＵＥ）を設定し、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定し、
前記判別できないことが決定されたときはいつでも前記グラントによって前記コンポーネントキャリアのみをスケジューリングする
ためのコードを備えるコンピュータ可読媒体を備えるコンピュータプログラム製品。
［Ｃ２６］
ユーザ機器（ＵＥ）内のコンピュータプログラム製品であって、
複数のコンポーネントキャリアのうちのあるコンポーネントキャリア上でグラントを受信し、
前記グラントに基づいてｅＮｏｄｅＢと通信するためのコードを備えるコンピュータ可読媒体を備え、
前記グラントは、前記ＵＥがグラントにキャリアインジケータフィールド（ＣＩＦ）が含まれているかどうかを判別できないときに前記コンポーネントキャリアのみをスケジューリングするコンピュータプログラム製品。
［Ｃ２７］
ワイヤレス通信のための装置であって、
複数のコンポーネントキャリアを用いてユーザ機器（ＵＥ）を設定し、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定し、
前記判別できないことが決定されたときはいつでも前記グラントによって前記コンポーネントキャリアのみをスケジューリングする
ように構成された処理システムを備える装置。
［Ｃ２８］
ワイヤレス通信のための装置であって、
複数のコンポーネントキャリアのうちのあるコンポーネントキャリア上でグラントを受信し、
前記グラントに基づいてｅＮｏｄｅＢと通信するように構成された処理システムを備え、
前記グラントは、前記装置がグラントにキャリアインジケータフィールド（ＣＩＦ）が含まれているかどうかを判別できないときに前記コンポーネントキャリアのみをスケジューリングする装置。
【外国語明細書】
2020205606000001.pdf